(57)【要約】  共通制御情報のための探索空間が、非共通制御情報のための探索空間に基づいて決定される、拡張マシンタイプ通信（ｅＭＴＣ）における探索空間および許可の設計が説明される。さらに、モバイルデバイスによる探索空間の監視も説明される。さらに、複数の送信モードで情報が与えられる、基地局とモバイルデバイスとの間の通信方式も説明される。他の態様は、制御情報の送信のための方式について説明する。
2018534887.tif 000002
【特許請求の範囲】
【請求項１】
ワイヤレス通信の方法であって、
プロセッサによって、第１の探索空間のための第１の探索空間構成を識別することと、
前記プロセッサによって、前記第１の探索空間構成に少なくとも部分的に基づいて、第２の探索空間のための第２の探索空間構成を設定することと、および
前記プロセッサによって、前記第１の探索空間と前記第２の探索空間とのうちの少なくとも１つ中で制御情報をモバイルデバイスに送信することと
を備える、方法。
【請求項２】
前記第１の探索空間は、ユニキャスト制御情報が前記モバイルデバイスによって取り出され(retrieved)得る１つまたは複数のロケーションを備え、および  ここにおいて  前記第２の探索空間は、２つ以上のモバイルデバイスのための制御情報が前記モバイルデバイスによって取り出され得る１つまたは複数のロケーションを備える、請求項１に記載の方法。
【請求項３】
設定することが、前記第２の探索空間のための周波数帯域を、前記第１の探索空間の周波数帯域と重複する第１の周波数帯域に等しく設定することを含む、請求項１に記載の方法。
【請求項４】
設定することは、
第１のＴＴＩ中で、前記第２の探索空間のための周波数帯域を、前記第１の探索空間の周波数帯域と重複する第１の周波数帯域に等しく設定することと、および
第２のＴＴＩ中で、前記第２の探索空間のための前記周波数帯域を、前記第１の探索空間の前記周波数帯域と重複しない第２の周波数帯域に等しく設定することと
を含む、請求項１に記載の方法。
【請求項５】
前記第１の探索空間が、前記モバイルデバイスの識別子に基づいて設定された候補を含み、および  ここにおいて、設定することが、前記モバイルデバイスの前記識別子を含まないパラメータに基づいて、前記第２の探索空間の候補を設定することを備える、請求項１に記載の方法。
【請求項６】
前記第１の探索空間が第１の数の候補を含み、前記第２の探索空間が第２の数の候補を含む、請求項１に記載の方法。
【請求項７】
送信することは、アップリンク送信のための許可と、ダウンリンク送信のための許可と、フォールバック制御情報を含むフォールバック許可と、送信機電力制御（ＴＰＣ）情報と、メッセージが正しく受信されたのか誤って受信されたのかを示す、肯定応答または否定応答とのうちの少なくとも１つを送信することを含む、請求項１に記載の方法。
【請求項８】
カバレージ拡張レベルを決定することをさらに備え、および  ここにおいて、第２の探索空間を設定することが、前記決定されたカバレージ拡張レベルに少なくとも部分的に基づく、請求項１に記載の方法。
【請求項９】
制御情報を送信することは、
第１の送信モードに従って第１のメッセージを送信することと、および
第２の送信モードに従って第２のメッセージを送信することと、ここにおいて、前記第２のメッセージが、前記第１のメッセージ中の情報とともに処理すべき情報を含み、および  ここにおいて、前記第２のメッセージが前記第１のメッセージ中の前記情報を含む、
を備える、請求項１に記載の方法。
【請求項１０】
前記第２のメッセージ中の前記情報が、データを復号するために使用すべきプリコーディング行列と、データを復号するために使用すべきスクランブリングシーケンスとのうちの少なくとも１つを指定する、請求項９に記載の方法。
【請求項１１】
前記第２のメッセージ中の前記情報は、前記モバイルデバイスに、前記モバイルデバイスが、前記プリコーディング行列と前記スクランブリングシーケンスとのうちの少なくとも１つに関する情報をどこで受信し得るかを通知する情報を含む、請求項１０に記載の方法。
【請求項１２】
制御情報を送信することが、
前記第１の探索空間中で、第１の送信モードに関連付けられた制御情報を送信することと、および
前記第２の探索空間中で、第２の送信モードに関連付けられた制御情報を送信することと
を備える、請求項１に記載の方法。
【請求項１３】
ワイヤレス通信のために構成された装置であって、
プロセッサによって、第１の探索空間のための第１の探索空間構成を識別するための手段と、
前記プロセッサによって、前記第１の探索空間構成に少なくとも部分的に基づいて、第２の探索空間のための第２の探索空間構成を設定するための手段と、および
前記プロセッサによって、前記第１の探索空間と前記第２の探索空間とのうちの少なくとも１つ中で制御情報をモバイルデバイスに送信するための手段と
を備える、装置。
【請求項１４】
プログラムコードを記録した非一時的コンピュータ可読媒体であって、前記プログラムコードが、
コンピュータに、第１の探索空間のための第１の探索空間構成を識別させるためのプログラムコードと、
コンピュータに、前記第１の探索空間構成に少なくとも部分的に基づいて、第２の探索空間のための第２の探索空間構成を設定させるためのプログラムコードと、および
コンピュータに、前記第１の探索空間と前記第２の探索空間とのうちの少なくとも１つ中で制御情報をモバイルデバイスに送信させるためのプログラムコードと
を備える、非一時的コンピュータ可読媒体。
【請求項１５】
ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサが、
第１の探索空間のための第１の探索空間構成を識別することと、
前記第１の探索空間構成に少なくとも部分的に基づいて、第２の探索空間のための第２の探索空間構成を設定することと、および
前記第１の探索空間と前記第２の探索空間とのうちの少なくとも１つ中で制御情報をモバイルデバイスに送信することと
を行うように構成された、装置。
【請求項１６】
前記第１の探索空間は、ユニキャスト制御情報が前記モバイルデバイスによって取り出され得る１つまたは複数のロケーションを備え、および  ここにおいて  前記第２の探索空間は、２つ以上のモバイルデバイスのための制御情報が前記モバイルデバイスによって取り出され得る１つまたは複数のロケーションを備える、請求項１５に記載の装置。
【請求項１７】
前記プロセッサが、前記第２の探索空間のための周波数帯域を、前記第１の探索空間の周波数帯域と重複する第１の周波数帯域に等しく設定するようにさらに構成された、請求項１５に記載の装置。
【請求項１８】
前記プロセッサが、
第１のサブフレーム中で、前記第２の探索空間のための周波数帯域を、前記第１の探索空間の周波数帯域と重複する第１の周波数帯域に等しく設定することと、および
第２のサブフレーム中で、前記第２の探索空間のための前記周波数帯域を、前記第１の探索空間の前記周波数帯域と重複しない第２の周波数帯域に等しく設定することと
を行うようにさらに構成された、請求項１５に記載の装置。
【請求項１９】
前記第１の探索空間が、前記モバイルデバイスの識別子に基づいて設定された候補を含み、および  ここにおいて、設定することが、前記モバイルデバイスの前記識別子を含まないパラメータに基づいて、前記第２の探索空間の候補を設定することを備える、請求項１５に記載の装置。
【請求項２０】
前記第１の探索空間が第１の数の候補を含み、前記第２の探索空間が第２の数の候補を含む、請求項１５に記載の装置。
【請求項２１】
送信するように構成された前記プロセッサは、アップリンク送信のための許可と、ダウンリンク送信のための許可と、フォールバック制御情報を含むフォールバック許可と、送信機電力制御（ＴＰＣ）情報と、メッセージが正しく受信されたのか誤って受信されたのかを示す、肯定応答または否定応答とのうちの少なくとも１つを送信するように構成された前記プロセッサを備える、請求項１５に記載の装置。
【請求項２２】
前記プロセッサが、カバレージ拡張レベルを決定するように構成され、および  ここにおいて、第２の探索空間を設定することが、前記決定されたカバレージ拡張レベルに少なくとも部分的に基づく、請求項１５に記載の装置。
【請求項２３】
送信するように構成された前記プロセッサは、
第１の送信モードに従って第１のメッセージを送信するように構成された前記プロセッサと、
第２の送信モードに従って第２のメッセージを送信するように構成された前記プロセッサと、ここにおいて、前記第２のメッセージが、前記第１のメッセージ中の情報とともに処理すべき情報を含み、および  ここにおいて、前記第２のメッセージが前記第１のメッセージ中の前記情報を含む、
を備える、請求項１５に記載の装置。
【請求項２４】
前記第２のメッセージ中の前記情報が、データを復号するために使用すべきプリコーディング行列と、データを復号するために使用すべきスクランブリングシーケンスとのうちの少なくとも１つを指定する、請求項２３に記載の装置。
【請求項２５】
前記第２のメッセージ中の前記情報は、前記モバイルデバイスに、前記モバイルデバイスが、前記プリコーディング行列と前記スクランブリングシーケンスとのうちの少なくとも１つに関する情報をどこで受信し得るかを通知する情報を含む、請求項２４に記載の装置。
【請求項２６】
送信するように構成された前記プロセッサが、
前記第１の探索空間中で、第１の送信モードに関連付けられた制御情報を送信するように構成された前記プロセッサと、および
前記第２の探索空間中で、第２の送信モードに関連付けられた制御情報を送信するように構成された前記プロセッサと
を備える、請求項１５に記載の装置。
【請求項２７】
ワイヤレス通信の方法であって、
プロセッサによって、受信のためにモバイルデバイスによって必要とされる送信電力に少なくとも部分的に基づいて、第１の探索空間のための第１の探索空間構成と、第２の探索空間のための第２の探索空間構成とを設定することと、ここにおいて、前記第１の探索空間は、ユニキャスト制御情報が前記モバイルデバイスによって取り出され得る１つまたは複数のロケーションを備え、および  ここにおいて、前記第２の探索空間は、２つ以上のモバイルデバイスのための制御情報が前記モバイルデバイスによって取り出され得る１つまたは複数のロケーションを備える、および
前記プロセッサによって、前記第１の探索空間と前記第２の探索空間とのうちの少なくとも１つ中で制御情報を前記モバイルデバイスに送信することと
を備える、方法。
【請求項２８】
前記第１の探索空間中で前記モバイルデバイスに制御情報を第１の回数再送信することをさらに含み、ここにおいて、再送信するための前記第１の回数が、前記モバイルデバイスによって受信のために必要とされる前記送信電力に基づいて決定される、請求項２７に記載の方法。
【請求項２９】
前記第２の探索空間中で前記モバイルデバイスに制御情報を第２の回数再送信することをさらに含み、ここにおいて、再送信するための前記第２の回数が、複数のモバイルデバイスによって受信のために必要とされる前記送信電力に基づいて決定され、および  ここにおいて、前記第２の回数が前記第１の回数とは異なる、請求項２８に記載の方法。
【請求項３０】
ワイヤレス通信のために構成された装置であって、
プロセッサによって、受信のためにモバイルデバイスによって必要とされる送信電力に少なくとも部分的に基づいて、第１の探索空間のための第１の探索空間構成と、第２の探索空間のための第２の探索空間構成とを設定するための手段と、ここにおいて、前記第１の探索空間は、ユニキャスト制御情報が前記モバイルデバイスによって取り出され得る１つまたは複数のロケーションを備え、および  ここにおいて、前記第２の探索空間は、２つ以上のモバイルデバイスのための制御情報が前記モバイルデバイスによって取り出され得る１つまたは複数のロケーションを備える、および
前記プロセッサによって、前記第１の探索空間と前記第２の探索空間とのうちの少なくとも１つ中で制御情報を前記モバイルデバイスに送信するための手段と
を備える、装置。
【請求項３１】
プログラムコードを記録した非一時的コンピュータ可読媒体であって、前記プログラムコードは、
コンピュータに、受信のためにモバイルデバイスによって必要とされる送信電力に少なくとも部分的に基づいて、第１の探索空間のための第１の探索空間構成と、第２の探索空間のための第２の探索空間構成とを設定させるためのプログラムコードと、ここにおいて、前記第１の探索空間は、ユニキャスト制御情報が前記モバイルデバイスによって取り出され得る１つまたは複数のロケーションを備え、および  ここにおいて、前記第２の探索空間は、２つ以上のモバイルデバイスのための制御情報が前記モバイルデバイスによって取り出され得る１つまたは複数のロケーションを備える、および
コンピュータに、前記第１の探索空間と前記第２の探索空間とのうちの少なくとも１つ中で制御情報を前記モバイルデバイスに送信させるためのプログラムコードと
を備える、非一時的コンピュータ可読媒体。
【請求項３２】
ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサは、
受信のためにモバイルデバイスによって必要とされる送信電力に少なくとも部分的に基づいて、第１の探索空間のための第１の探索空間構成と、第２の探索空間のための第２の探索空間構成とを設定することと、ここにおいて、前記第１の探索空間は、ユニキャスト制御情報が前記モバイルデバイスによって取り出され得る１つまたは複数のロケーションを備え、および  ここにおいて、前記第２の探索空間は、２つ以上のモバイルデバイスのための制御情報が前記モバイルデバイスによって取り出され得る１つまたは複数のロケーションを備える、および
前記第１の探索空間と前記第２の探索空間とのうちの少なくとも１つ中で制御情報を前記モバイルデバイスに送信することと
を行うように構成された、装置。
【請求項３３】
前記少なくとも１つのプロセッサが、前記第１の探索空間中で前記モバイルデバイスに制御情報を第１の回数再送信するようにも構成され、ここにおいて、再送信するための前記第１の回数が、前記モバイルデバイスによって受信のために必要とされる前記送信電力に基づいて決定される、請求項３２に記載の装置。
【請求項３４】
前記少なくとも１つのプロセッサが、前記第２の探索空間中で前記モバイルデバイスに制御情報を第２の回数再送信するようにも構成され、ここにおいて、再送信するための前記第２の回数が、複数のモバイルデバイスによって受信のために必要とされる前記送信電力に基づいて決定され、および  ここにおいて、前記第２の回数が前記第１の回数とは異なる、請求項３３に記載の装置。
【請求項３５】
ワイヤレス通信の方法であって、
プロセッサによって、第１の探索空間を識別することと、
前記プロセッサによって、第２の探索空間を識別することと、および
前記プロセッサによって、時分割多重パターンに基づいて前記第１の探索空間と前記第２の探索空間とを監視することと
を備える、方法。
【請求項３６】
カバレージ拡張レベルを決定することをさらに備え、および  ここにおいて、前記第２の探索空間を識別することが、前記決定されたカバレージ拡張レベルに少なくとも部分的に基づく、請求項３５に記載の方法。
【請求項３７】
前記第１の探索空間は、ユニキャスト制御情報がモバイルデバイスによって取り出され得る１つまたは複数のロケーションを備え、および  ここにおいて  前記第２の探索空間は、２つ以上のモバイルデバイスのための制御情報が前記モバイルデバイスによって取り出され得る１つまたは複数のロケーションを備える、請求項３５に記載の方法。
【請求項３８】
監視することは、
前記プロセッサが復号することが可能である、前記第１の探索空間中のユニキャスト制御情報について、前記第１の探索空間を監視することと、
前記プロセッサが復号することが可能であるユニキャスト制御情報がその間に前記第１の探索空間中に存在しない第１の時間間隔がいつ経過したかを決定することと、および
前記第１の時間間隔が経過したと決定すると、前記第２の探索空間を監視することと
を含む、請求項３５に記載の方法。
【請求項３９】
監視することは、
信号対雑音比（ＳＮＲ）値を決定することと、
前記ＳＮＲ値がしきい値を超えると決定すると、前記第１の探索空間を監視することと、および
前記ＳＮＲ値がしきい値を超えないと決定すると、前記第２の探索空間を監視することと
を含む、請求項３５に記載の方法。
【請求項４０】
ワイヤレス通信のために構成された装置であって、
プロセッサによって、第１の探索空間を識別するための手段と、
前記プロセッサによって、第２の探索空間を識別するための手段と、および
前記プロセッサによって、時分割多重パターンに基づいて前記第１の探索空間と前記第２の探索空間とを監視するための手段と
を備える、装置。
【請求項４１】
プログラムコードを記録した非一時的コンピュータ可読媒体であって、前記プログラムコードが、
コンピュータに、第１の探索空間を識別させるためのプログラムコードと、
コンピュータに、第２の探索空間を識別させるためのプログラムコードと、および
コンピュータに、時分割多重パターンに基づいて前記第１の探索空間と前記第２の探索空間とを監視させるためのプログラムコードと
を備える、非一時的コンピュータ可読媒体。
【請求項４２】
ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサが、
第１の探索空間を識別することと、
第２の探索空間を識別することと、および
時分割多重パターンに基づいて前記第１の探索空間と前記第２の探索空間とを監視することと
を行うように構成された、装置。
【請求項４３】
前記少なくとも１つのプロセッサが、カバレージ拡張レベルを決定するようにも構成され、および  ここにおいて、前記第２の探索空間を識別することが、前記決定されたカバレージ拡張レベルに少なくとも部分的に基づく、請求項４２に記載の装置。
【請求項４４】
前記第１の探索空間は、ユニキャスト制御情報がモバイルデバイスによって取り出され得る１つまたは複数のロケーションを備え、および  ここにおいて  前記第２の探索空間は、２つ以上のモバイルデバイスのための制御情報が前記モバイルデバイスによって取り出され得る１つまたは複数のロケーションを備える、請求項４２に記載の装置。
【請求項４５】
前記少なくとも１つのプロセッサは、
前記プロセッサが復号することが可能である、前記第１の探索空間中のユニキャスト制御情報について、前記第１の探索空間を監視することと、
前記プロセッサが復号することが可能であるユニキャスト制御情報がその間に前記第１の探索空間中に存在しない第１の時間間隔がいつ経過したかを決定することと、および
前記第１の時間間隔が経過したと決定すると、前記第２の探索空間を監視することと
を行うようにも構成された、請求項４２に記載の装置。
【請求項４６】
前記少なくとも１つのプロセッサは、
信号対雑音比（ＳＮＲ）値を決定することと、
前記ＳＮＲ値がしきい値を超えると決定すると、前記第１の探索空間を監視することと、および
前記ＳＮＲ値がしきい値を超えないと決定すると、前記第２の探索空間を監視することと
を行うようにも構成された、請求項４２に記載の装置。
【請求項４７】
ワイヤレス通信の方法であって、
モバイルデバイスによって、第１の送信モードまたは第２の送信モードに従ってメッセージを受信する、前記モバイルデバイスの能力を示すメッセージを送信することと、
前記モバイルデバイスを、前記第１の送信モードに従ってメッセージを受信し、前記第２の送信モードに従ってメッセージを受信するように構成することと、
通信チャネル中のメッセージが前記第１の送信モードに関連付けられたのか前記第２の送信モードに関連付けられたのかを決定することと、および
前記メッセージを受信し、前記メッセージが前記第１の送信モードに関連付けられたのか前記第２の送信モードに関連付けられたのかの前記決定に基づいて、前記受信されたメッセージを処理することと
を備える、方法。
【請求項４８】
ワイヤレス通信のために構成された装置であって、
モバイルデバイスによって、第１の送信モードまたは第２の送信モードに従ってメッセージを受信する、前記モバイルデバイスの能力を示すメッセージを送信するための手段と、
前記モバイルデバイスを、前記第１の送信モードに従ってメッセージを受信し、前記第２の送信モードに従ってメッセージを受信するように構成するための手段と、
通信チャネル中のメッセージが前記第１の送信モードに関連付けられたのか前記第２の送信モードに関連付けられたのかを決定するための手段と、および
前記メッセージを受信し、前記メッセージが前記第１の送信モードに関連付けられたのか前記第２の送信モードに関連付けられたのかの前記決定に基づいて、前記受信されたメッセージを処理するための手段と
を備える、装置。
【請求項４９】
プログラムコードを記録した非一時的コンピュータ可読媒体であって、前記プログラムコードは、
コンピュータに、第１の送信モードまたは第２の送信モードに従ってメッセージを受信する、前記モバイルデバイスの能力を示すメッセージを送信させるためのプログラムコードと、
コンピュータに、前記モバイルデバイスを、前記第１の送信モードに従ってメッセージを受信し、前記第２の送信モードに従ってメッセージを受信するように構成させるためのプログラムコードと、
コンピュータに、通信チャネル中のメッセージが前記第１の送信モードに関連付けられたのか前記第２の送信モードに関連付けられたのかを決定させるためのプログラムコードと、および
コンピュータに、前記メッセージを受信させ、前記メッセージが前記第１の送信モードに関連付けられたのか前記第２の送信モードに関連付けられたのかの前記決定に基づいて、前記受信されたメッセージを処理させるためのプログラムコードと
を備える、非一時的コンピュータ可読媒体。
【請求項５０】
ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサは、
第１の送信モードまたは第２の送信モードに従ってメッセージを受信する、モバイルデバイスの能力を示すメッセージを送信することと、
前記モバイルデバイスを、前記第１の送信モードに従ってメッセージを受信し、前記第２の送信モードに従ってメッセージを受信するように構成することと、
通信チャネル中のメッセージが前記第１の送信モードに関連付けられたのか前記第２の送信モードに関連付けられたのかを決定することと、および
前記メッセージを受信し、前記メッセージが前記第１の送信モードに関連付けられたのか前記第２の送信モードに関連付けられたのかの前記決定に基づいて、前記受信されたメッセージを処理することと
を行うように構成された、装置。
【請求項５１】
ワイヤレス通信の方法であって、
モバイルデバイスを、第１の送信モードに従ってメッセージを受信し、第２の送信モードに従ってメッセージを受信するように構成することと、
前記第２の送信モードに関連付けられたメッセージについて通信チャネルを監視することと、
前記第２の送信モードに関連付けられたメッセージがその間に存在しない第１の時間間隔がいつ経過したかを決定することと、および
前記第１の時間間隔が経過したと決定すると、前記第１の送信モードに関連付けられたメッセージについて前記通信チャネルを監視することと
を備える、方法。
【請求項５２】
信号対雑音比（ＳＮＲ）値を決定することと、
前記ＳＮＲ値がしきい値を超えると決定すると、前記第２の送信モードに関連付けられたメッセージについて通信チャネルを監視することと、および
前記ＳＮＲ値がしきい値を超えないと決定すると、前記第１の送信モードに関連付けられたメッセージについて前記通信チャネルを監視することと
をさらに備える、請求項５１に記載の方法。
【請求項５３】
ワイヤレス通信のために構成された装置であって、
モバイルデバイスを、第１の送信モードに従ってメッセージを受信し、第２の送信モードに従ってメッセージを受信するように構成するための手段と、
前記第２の送信モードに関連付けられたメッセージについて通信チャネルを監視するための手段と、
前記第２の送信モードに関連付けられたメッセージがその間に存在しない第１の時間間隔がいつ経過したかを決定するための手段と、および
前記第１の時間間隔が経過したと決定すると、前記第１の送信モードに関連付けられたメッセージについて前記通信チャネルを監視するための手段と
を備える、装置。
【請求項５４】
プログラムコードを記録した非一時的コンピュータ可読媒体であって、前記プログラムコードは、
コンピュータに、モバイルデバイスを、第１の送信モードに従ってメッセージを受信し、第２の送信モードに従ってメッセージを受信するように構成させるためのプログラムコードと、
コンピュータに、前記第２の送信モードに関連付けられたメッセージについて通信チャネルを監視させるためのプログラムコードと、
コンピュータに、前記第２の送信モードに関連付けられたメッセージがその間に存在しない第１の時間間隔がいつ経過したかを決定させるためのプログラムコードと、および
コンピュータに、前記第１の時間間隔が経過したと決定すると、前記第１の送信モードに関連付けられたメッセージについて前記通信チャネルを監視させるためのプログラムコードと
を備える、非一時的コンピュータ可読媒体。
【請求項５５】
ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサは、
モバイルデバイスを、第１の送信モードに従ってメッセージを受信し、第２の送信モードに従ってメッセージを受信するように構成することと、
前記第２の送信モードに関連付けられたメッセージについて通信チャネルを監視することと、
前記第２の送信モードに関連付けられたメッセージがその間に存在しない第１の時間間隔がいつ経過したかを決定することと、および
前記第１の時間間隔が経過したと決定すると、前記第１の送信モードに関連付けられたメッセージについて前記通信チャネルを監視することと
を行うように構成された、装置。
【請求項５６】
前記少なくとも１つのプロセッサは、
信号対雑音比（ＳＮＲ）値を決定することと、
前記ＳＮＲ値がしきい値を超えると決定すると、前記第２の送信モードに関連付けられたメッセージについて通信チャネルを監視することと、および
前記ＳＮＲ値がしきい値を超えないと決定すると、前記第１の送信モードに関連付けられたメッセージについて前記通信チャネルを監視することと
を行うようにも構成された、請求項５５に記載の装置。
【請求項５７】
ワイヤレス通信の方法であって、
モバイルデバイスを、第１の送信モードに従ってメッセージを受信するように構成することと、
前記第１の送信モードに従って第１のメッセージを受信することと、および
前記第１のメッセージ中で受信された情報とともに処理すべき情報を含む第２のメッセージを受信することと、ここにおいて、第２の送信モードに従って受信されたメッセージが、前記第１のメッセージ中で受信された前記情報と、前記第２のメッセージ中で受信された前記情報とを含む、
を備える、方法。
【請求項５８】
前記第２のメッセージ中の前記情報が、データを復号するために使用すべきプリコーディング行列を指定する、請求項５７に記載の方法。
【請求項５９】
前記第２のメッセージ中の前記情報は、前記モバイルデバイスに、前記モバイルデバイスが、データを復号するために使用すべき前記プリコーディング行列に関する情報をどこで受信し得るかを通知する情報を含む、請求項５８に記載の方法。
【請求項６０】
前記第２のメッセージ中の前記情報が、データを復号するために使用すべきスクランブリングシーケンスを指定する、請求項５７に記載の方法。
【請求項６１】
前記第２のメッセージ中の前記情報は、前記モバイルデバイスに、前記モバイルデバイスが、データを復号するために使用すべき前記スクランブリングシーケンスに関する情報をどこで受信し得るかを通知する情報を含む、請求項６０に記載の方法。
【請求項６２】
ワイヤレス通信のために構成された装置であって、
モバイルデバイスを、第１の送信モードに従ってメッセージを受信するように構成するための手段と、
前記第１の送信モードに従って第１のメッセージを受信するための手段と、および
前記第１のメッセージ中で受信された情報とともに処理すべき情報を含む第２のメッセージを受信するための手段と、ここにおいて、第２の送信モードに従って受信されたメッセージが、前記第１のメッセージ中で受信された前記情報と、前記第２のメッセージ中で受信された前記情報とを含む、
を備える、装置。
【請求項６３】
プログラムコードを記録した非一時的コンピュータ可読媒体であって、前記プログラムコードは、
コンピュータに、モバイルデバイスを、第１の送信モードに従ってメッセージを受信するように構成させるためのプログラムコードと、
コンピュータに、前記第１の送信モードに従って第１のメッセージを受信させるためのプログラムコードと、および
コンピュータに、前記第１のメッセージ中で受信された情報とともに処理すべき情報を含む第２のメッセージを受信させるためのプログラムコードと、ここにおいて、第２の送信モードに従って受信されたメッセージが、前記第１のメッセージ中で受信された前記情報と、前記第２のメッセージ中で受信された前記情報とを含む、
を備える、非一時的コンピュータ可読媒体。
【請求項６４】
ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサは、
モバイルデバイスを、第１の送信モードに従ってメッセージを受信するように構成することと、
前記第１の送信モードに従って第１のメッセージを受信することと、および
前記第１のメッセージ中で受信された情報とともに処理すべき情報を含む第２のメッセージを受信することと、ここにおいて、第２の送信モードに従って受信されたメッセージが、前記第１のメッセージ中で受信された前記情報と、前記第２のメッセージ中で受信された前記情報とを含む、
を行うように構成された、装置。
【請求項６５】
前記第２のメッセージ中の前記情報が、データを復号するために使用すべきプリコーディング行列を指定する、請求項６４に記載の装置。
【請求項６６】
前記第２のメッセージ中の前記情報は、前記モバイルデバイスに、前記モバイルデバイスが、データを復号するために使用すべき前記プリコーディング行列に関する情報をどこで受信し得るかを通知する情報を含む、請求項６５に記載の装置。
【請求項６７】
前記第２のメッセージ中の前記情報が、データを復号するために使用すべきスクランブリングシーケンスを指定する、請求項６４に記載の装置。
【請求項６８】
前記第２のメッセージ中の前記情報は、前記モバイルデバイスに、前記モバイルデバイスが、データを復号するために使用すべき前記スクランブリングシーケンスに関する情報をどこで受信し得るかを通知する情報を含む、請求項６７に記載の装置。
【発明の詳細な説明】
【技術分野】
【０００１】
関連出願の相互参照
[0001]本出願は、その全体がともに参照により本明細書に明確に組み込まれる、２０１５年１１月６日に出願された「DESIGN OF SEARCH SPACES AND GRANTS IN EMTC」と題する米国仮特許出願第６２／２５２，２６８号、および２０１６年９月１９日に出願された「DESIGN OF SEARCH SPACES AND GRANTS IN EMTC」と題する米国非仮特許出願第１５／２６９，０３７号の利益を主張する。
【０００２】
[0002]本開示の態様は、一般にワイヤレス通信システムに関し、より詳細には、ワイヤレス通信システムにおけるマシンタイプ通信（ＭＴＣ：machine type communication）を改善するための探索空間および許可の設計に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、ならびに／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。ＵＭＴＳ技術を進化させるための研究および開発が続いている。
【０００７】
[0007]特に、モバイルデバイスなどの従来のＵＥは、人間の使用のために最適化される。たとえば、従来のＵＥは、大きい帯域幅を用いて高いレートにおいてデータを与えるように最適化される。しかしながら、機械は、そのような高い性能または消費を必要とせず、したがって、機械のための通信は、他の目的を達成するように最適化され得る。より詳細には、ＵＥが人間による使用のために開発されるときは、性能が、最適化されるべき推進ファクタである傾向があるが、ＵＥが機械による使用のために開発されるときは、バッテリー寿命、コスト、およびカバレージ効率などの他のファクタが最適化され得る。
【発明の概要】
【０００８】
[0008]本開示の一態様では、ワイヤレス通信の方法は、プロセッサによって、第１の探索空間のための第１の探索空間構成を識別することと、プロセッサによって、第１の探索空間構成に少なくとも部分的に基づいて、第２の探索空間のための第２の探索空間構成を設定することと、プロセッサによって、第１の探索空間と第２の探索空間とのうちの少なくとも１つ中で制御情報をモバイルデバイスに送信することとを含む。
【０００９】
[0009]本開示の追加の態様では、ワイヤレス通信のために構成された装置は、プロセッサによって、第１の探索空間のための第１の探索空間構成を識別するための手段と、プロセッサによって、第１の探索空間構成に少なくとも部分的に基づいて、第２の探索空間のための第２の探索空間構成を設定するための手段と、プロセッサによって、第１の探索空間と第２の探索空間とのうちの少なくとも１つ中で制御情報をモバイルデバイスに送信するための手段とを含む。
【００１０】
[0010]本開示の追加の態様では、コンピュータプログラム製品は、プログラムコードを記録したコンピュータ可読媒体を有する。このプログラムコードは、コンピュータに、第１の探索空間のための第１の探索空間構成を識別することと、第１の探索空間構成に少なくとも部分的に基づいて、第２の探索空間のための第２の探索空間構成を設定することと、第１の探索空間と第２の探索空間とのうちの少なくとも１つ中で制御情報をモバイルデバイスに送信することとを行わせるためのコードを含む。
【００１１】
[0011]本開示の追加の態様では、装置は、少なくとも１つのプロセッサと、プロセッサに結合されたメモリとを含む。プロセッサは、第１の探索空間のための第１の探索空間構成を識別することと、第１の探索空間構成に少なくとも部分的に基づいて、第２の探索空間のための第２の探索空間構成を設定することと、第１の探索空間と第２の探索空間とのうちの少なくとも１つ中で制御情報をモバイルデバイスに送信することとを行うように構成される。
【００１２】
[0012]本開示の一態様では、ワイヤレス通信の方法は、プロセッサによって、第１の探索空間を識別することと、プロセッサによって、第２の探索空間を識別することと、プロセッサによって、時分割多重パターン（time-division multiplexed pattern）に基づいて第１の探索空間と第２の探索空間とを監視することとを含む。
【００１３】
[0013]本開示の追加の態様では、ワイヤレス通信のために構成された装置は、プロセッサによって、第１の探索空間を識別するための手段と、プロセッサによって、第２の探索空間を識別するための手段と、プロセッサによって、時分割多重パターンに基づいて第１の探索空間と第２の探索空間とを監視するための手段とを含む。
【００１４】
[0014]本開示の追加の態様では、コンピュータプログラム製品は、プログラムコードを記録したコンピュータ可読媒体を有する。このプログラムコードは、コンピュータに、プロセッサによって、第１の探索空間を識別することと、プロセッサによって、第２の探索空間を識別することと、プロセッサによって、時分割多重パターンに基づいて第１の探索空間と第２の探索空間とを監視することとを行わせるためのコードを含む。
【００１５】
[0015]本開示の追加の態様では、装置は、少なくとも１つのプロセッサと、プロセッサに結合されたメモリとを含む。プロセッサは、第１の探索空間を識別することと、第２の探索空間を識別することと、時分割多重パターンに基づいて第１の探索空間と第２の探索空間とを監視することとを行うように構成される。
【００１６】
[0016]本開示の一態様では、ワイヤレス通信の方法は、プロセッサによって、受信のためにモバイルデバイスによって必要とされる送信電力に少なくとも部分的に基づいて、第１の探索空間のための第１の探索空間構成と、第２の探索空間のための第２の探索空間構成とを設定することと、ここにおいて、第１の探索空間は、ユニキャスト制御情報がモバイルデバイスによって取り出され得る１つまたは複数のロケーションを備え、ここにおいて、第２の探索空間は、２つ以上のモバイルデバイスのための制御情報がモバイルデバイスによって取り出され得る１つまたは複数のロケーションを備える、プロセッサによって、第１の探索空間と第２の探索空間とのうちの少なくとも１つ中で制御情報をモバイルデバイスに送信することとを含む。
【００１７】
[0017]本開示の追加の態様では、ワイヤレス通信のために構成された装置は、プロセッサによって、受信のためにモバイルデバイスによって必要とされる送信電力に少なくとも部分的に基づいて、第１の探索空間のための第１の探索空間構成と、第２の探索空間のための第２の探索空間構成とを設定するための手段と、ここにおいて、第１の探索空間は、ユニキャスト制御情報がモバイルデバイスによって取り出され得る１つまたは複数のロケーションを備え、ここにおいて、第２の探索空間は、２つ以上のモバイルデバイスのための制御情報がモバイルデバイスによって取り出され得る１つまたは複数のロケーションを備える、プロセッサによって、第１の探索空間と第２の探索空間とのうちの少なくとも１つ中で制御情報をモバイルデバイスに送信するための手段とを含む。
【００１８】
[0018]本開示の追加の態様では、コンピュータプログラム製品は、プログラムコードを記録したコンピュータ可読媒体を有する。このプログラムコードは、コンピュータに、受信のためにモバイルデバイスによって必要とされる送信電力に少なくとも部分的に基づいて、第１の探索空間のための第１の探索空間構成と、第２の探索空間のための第２の探索空間構成とを設定することと、ここにおいて、第１の探索空間は、ユニキャスト制御情報がモバイルデバイスによって取り出され得る１つまたは複数のロケーションを備え、ここにおいて、第２の探索空間は、２つ以上のモバイルデバイスのための制御情報がモバイルデバイスによって取り出され得る１つまたは複数のロケーションを備える、第１の探索空間と第２の探索空間とのうちの少なくとも１つ中で制御情報をモバイルデバイスに送信することとを行わせるためのコードを含む。
【００１９】
[0019]本開示の追加の態様では、装置は、少なくとも１つのプロセッサと、プロセッサに結合されたメモリとを含む。プロセッサは、受信のためにモバイルデバイスによって必要とされる送信電力に少なくとも部分的に基づいて、第１の探索空間のための第１の探索空間構成と、第２の探索空間のための第２の探索空間構成とを設定することと、ここにおいて、第１の探索空間は、ユニキャスト制御情報がモバイルデバイスによって取り出され得る１つまたは複数のロケーションを備え、ここにおいて、第２の探索空間は、２つ以上のモバイルデバイスのための制御情報がモバイルデバイスによって取り出され得る１つまたは複数のロケーションを備える、第１の探索空間と第２の探索空間とのうちの少なくとも１つ中で制御情報をモバイルデバイスに送信することとを行うように構成される。
【００２０】
[0020]本開示の一態様では、ワイヤレス通信の方法は、モバイルデバイスを、第１の送信モードに従ってメッセージを受信するように構成することと、第１の送信モードに従って第１のメッセージを受信することと、第１のメッセージ中で受信された情報とともに処理すべき情報を含む第２のメッセージを受信することと、ここにおいて、第２の送信モードに従って受信されたメッセージが、第１のメッセージ中で受信された情報と、第２のメッセージ中で受信された情報とを含む、を含む。
【００２１】
[0021]本開示の追加の態様では、ワイヤレス通信のために構成された装置は、モバイルデバイスを、第１の送信モードに従ってメッセージを受信するように構成するための手段と、第１の送信モードに従って第１のメッセージを受信するための手段と、第１のメッセージ中で受信された情報とともに処理すべき情報を含む第２のメッセージを受信するための手段と、ここにおいて、第２の送信モードに従って受信されたメッセージが、第１のメッセージ中で受信された情報と、第２のメッセージ中で受信された情報とを含む、を含む。
【００２２】
[0022]本開示の追加の態様では、コンピュータプログラム製品は、プログラムコードを記録したコンピュータ可読媒体を有する。このプログラムコードは、コンピュータに、モバイルデバイスを、第１の送信モードに従ってメッセージを受信するように構成することと、第１の送信モードに従って第１のメッセージを受信することと、第１のメッセージ中で受信された情報とともに処理すべき情報を含む第２のメッセージを受信することと、ここにおいて、第２の送信モードに従って受信されたメッセージが、第１のメッセージ中で受信された情報と、第２のメッセージ中で受信された情報とを含む、を行わせるためのコードを含む。
【００２３】
[0023]本開示の追加の態様では、装置は、少なくとも１つのプロセッサと、プロセッサに結合されたメモリとを含む。プロセッサは、モバイルデバイスを、第１の送信モードに従ってメッセージを受信するように構成することと、第１の送信モードに従って第１のメッセージを受信することと、第１のメッセージ中で受信された情報とともに処理すべき情報を含む第２のメッセージを受信することと、ここにおいて、第２の送信モードに従って受信されたメッセージが、第１のメッセージ中で受信された情報と、第２のメッセージ中で受信された情報とを含む、を行うように構成される。
【００２４】
[0024]本開示の一態様では、ワイヤレス通信の方法は、モバイルデバイスによって、第１の送信モードまたは第２の送信モードに従ってメッセージを受信する、モバイルデバイスの能力を示すメッセージを送信することと、モバイルデバイスを、第１の送信モードに従ってメッセージを受信し、第２の送信モードに従ってメッセージを受信するように構成することと、通信チャネル中のメッセージが第１の送信モードに関連付けられたのか第２の送信モードに関連付けられたのかを決定することと、メッセージを受信し、メッセージが第１の送信モードに関連付けられたのか第２の送信モードに関連付けられたのかの決定に基づいて、受信されたメッセージを処理することとを含む。
【００２５】
[0025]本開示の追加の態様では、ワイヤレス通信のために構成された装置は、モバイルデバイスによって、第１の送信モードまたは第２の送信モードに従ってメッセージを受信する、モバイルデバイスの能力を示すメッセージを送信するための手段と、モバイルデバイスを、第１の送信モードに従ってメッセージを受信し、第２の送信モードに従ってメッセージを受信するように構成するための手段と、通信チャネル中のメッセージが第１の送信モードに関連付けられたのか第２の送信モードに関連付けられたのかを決定するための手段と、メッセージを受信し、メッセージが第１の送信モードに関連付けられたのか第２の送信モードに関連付けられたのかの決定に基づいて、受信されたメッセージを処理するための手段とを含む。
【００２６】
[0026]本開示の追加の態様では、コンピュータプログラム製品は、プログラムコードを記録したコンピュータ可読媒体を有する。このプログラムコードは、コンピュータに、第１の送信モードまたは第２の送信モードに従ってメッセージを受信する、モバイルデバイスの能力を示すメッセージを送信することと、モバイルデバイスを、第１の送信モードに従ってメッセージを受信し、第２の送信モードに従ってメッセージを受信するように構成することと、通信チャネル中のメッセージが第１の送信モードに関連付けられたのか第２の送信モードに関連付けられたのかを決定することと、メッセージを受信し、メッセージが第１の送信モードに関連付けられたのか第２の送信モードに関連付けられたのかの決定に基づいて、受信されたメッセージを処理することとを行わせるためのコードを含む。
【００２７】
[0027]本開示の追加の態様では、装置は、少なくとも１つのプロセッサと、プロセッサに結合されたメモリとを含む。プロセッサは、第１の送信モードまたは第２の送信モードに従ってメッセージを受信する、モバイルデバイスの能力を示すメッセージを送信することと、モバイルデバイスを、第１の送信モードに従ってメッセージを受信し、第２の送信モードに従ってメッセージを受信するように構成することと、通信チャネル中のメッセージが第１の送信モードに関連付けられたのか第２の送信モードに関連付けられたのかを決定することと、メッセージを受信し、メッセージが第１の送信モードに関連付けられたのか第２の送信モードに関連付けられたのかの決定に基づいて、受信されたメッセージを処理することとを行うように構成される。
【００２８】
[0028]本開示の一態様では、ワイヤレス通信の方法は、モバイルデバイスを、第１の送信モードに従ってメッセージを受信し、第２の送信モードに従ってメッセージを受信するように構成することと、第２の送信モードに関連付けられたメッセージについて通信チャネルを監視することと、第２の送信モードに関連付けられたメッセージがその間に存在しない第１の時間間隔がいつ経過したかを決定することと、第１の時間間隔が経過したと決定すると、第１の送信モードに関連付けられたメッセージについて通信チャネルを監視することとを含む。
【００２９】
[0029]本開示の追加の態様では、ワイヤレス通信のために構成された装置は、モバイルデバイスを、第１の送信モードに従ってメッセージを受信し、第２の送信モードに従ってメッセージを受信するように構成するための手段と、第２の送信モードに関連付けられたメッセージについて通信チャネルを監視するための手段と、第２の送信モードに関連付けられたメッセージがその間に存在しない第１の時間間隔がいつ経過したかを決定するための手段と、第１の時間間隔が経過したと決定すると、第１の送信モードに関連付けられたメッセージについて通信チャネルを監視するための手段とを含む。
【００３０】
[0030]本開示の追加の態様では、コンピュータプログラム製品は、プログラムコードを記録したコンピュータ可読媒体を有する。このプログラムコードは、コンピュータに、モバイルデバイスを、第１の送信モードに従ってメッセージを受信し、第２の送信モードに従ってメッセージを受信するように構成することと、第２の送信モードに関連付けられたメッセージについて通信チャネルを監視することと、第２の送信モードに関連付けられたメッセージがその間に存在しない第１の時間間隔がいつ経過したかを決定することと、第１の時間間隔が経過したと決定すると、第１の送信モードに関連付けられたメッセージについて通信チャネルを監視することとを行わせるためのコードを含む。
【００３１】
[0031]本開示の追加の態様では、装置は、少なくとも１つのプロセッサと、プロセッサに結合されたメモリとを含む。プロセッサは、モバイルデバイスを、第１の送信モードに従ってメッセージを受信し、第２の送信モードに従ってメッセージを受信するように構成することと、第２の送信モードに関連付けられたメッセージについて通信チャネルを監視することと、第２の送信モードに関連付けられたメッセージがその間に存在しない第１の時間間隔がいつ経過したかを決定することと、第１の時間間隔が経過したと決定すると、第１の送信モードに関連付けられたメッセージについて通信チャネルを監視することとを行うように構成される。
【００３２】
[0032]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性は、それらの編成と動作の方法の両方とも、関連する利点とともに、添付の図に関連して以下の説明を検討するとより良く理解されよう。図の各々は、例示および説明の目的で与えられるものであり、特許請求の範囲の制限の定義として与えられるものではない。
【００３３】
[0033]本開示の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００３４】
【図１】[0034]ワイヤレス通信システムの詳細を示す図。
【図２】[0035]本開示の一態様に従って構成された基地局／ｅＮＢおよびＵＥの設計を概念的に示す図。
【図３】[0036]本開示の一態様による、第２の探索空間を設定するための方法を示すブロック図。
【図４】[0037]本開示の一態様による、第１の探索空間に基づく第２の探索空間の設定の一例を示す図。
【図５】[0038]本開示の一態様による、探索空間を監視するための方法を示すブロック図。
【図６】[0039]本開示の一態様による、探索空間を設定するための方法を示すブロック図。
【図７】[0040]本開示の一態様による、複数の送信モードを使用するワイヤレス通信のための方法を示すブロック図。
【図８】[0041]本開示の別の態様による、複数の送信モードを使用するワイヤレス通信のための方法を示すブロック図。
【図９】[0042]本開示のまた別の態様による、複数の送信モードを使用するワイヤレス通信のための方法を示すブロック図。
【図１０】[0043]本開示の一態様に従って構成されたｅＮＢを示すブロック図。
【図１１】[0044]本開示の一態様に従って構成されたＵＥを示すブロック図。
【詳細な説明】
【００３５】
[0045]添付の図面に関して以下に記載される発明を実施するための形態は、様々な可能な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００３６】
[0046]本開示は、一般に、ワイヤレス通信ネットワークとも呼ばれる、２つまたはそれ以上のワイヤレス通信システム間での許可された共有アクセスを与えることまたはそのアクセスに関与することに関する。様々な実施形態では、本技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥ（登録商標）ネットワーク、ＧＳＭ（登録商標）ネットワーク、ならびに他の通信ネットワークなど、ワイヤレス通信ネットワークのために使用され得る。本明細書で説明される「ネットワーク」および「システム」という用語は互換的に使用され得る。
【００３７】
[0047]ＣＤＭＡネットワークは、ユニバーサル地上波無線アクセス（ＵＴＲＡ：universal terrestrial radio access）、ｃｄｍａ２０００などの無線技術を実装し得る。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５、およびＩＳ−８５６規格をカバーする。
【００３８】
[0048]ＴＤＭＡネットワークは、モバイル通信用グローバルシステム（ＧＳＭ：Global System for Mobile Communications）などの無線技術を実装し得る。３ＧＰＰは、ＧＥＲＡＮとしても示されるＧＳＭ  ＥＤＧＥ（ＧＳＭ進化型高速データレート（enhanced data rates for GSM（登録商標） evolution））無線アクセスネットワーク（ＲＡＮ）のための規格を定義する。ＧＥＲＡＮは、基地局（たとえば、ＡｔｅｒおよびＡｂｉｓインターフェース）と基地局コントローラ（Ａインターフェースなど）とを結合するネットワークとともにＧＳＭ／ＥＤＧＥの無線構成要素である。無線アクセスネットワークはＧＳＭネットワークの構成要素を表し、それを通して、通話およびパケットデータが公衆交換電話網（ＰＳＴＮ）およびインターネットからユーザ端末またはユーザ機器（ＵＥ）としても知られる加入者ハンドセットにルーティングされ、また加入者ハンドセットからＰＳＴＮおよびインターネットにルーティングされる。モバイルフォン事業者のネットワークは、１つまたは複数のＧＥＲＡＮを備え得、それは、ＵＭＴＳ／ＧＳＭネットワークの場合、ＵＴＲＡＮに結合され得る。事業者ネットワークはまた、１つまたは複数のＬＴＥネットワーク、および／または１つまたは複数の他のネットワークを含み得る。様々な異なるネットワークタイプは、異なる無線アクセス技術（ＲＡＴ）と無線アクセスネットワーク（ＲＡＮ）とを使用し得る。
【００３９】
[0049]ＯＦＤＭＡネットワークは、発展型ＵＴＲＡ（Ｅ−ＵＴＲＡ：evolved UTRA）、ＩＥＥＥ８０２．１１、ＩＥＥＥ８０２．１６、ＩＥＥＥ８０２．２０、ｆｌａｓｈ−ＯＦＤＭなどの無線技術を実装し得る。ＵＴＲＡ、Ｅ−ＵＴＲＡ、およびＧＳＭは、ユニバーサルモバイルテレコミュニケーションシステム（ＵＭＴＳ：universal mobile telecommunication system）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体から提供されている文書に記載されており、ｃｄｍａ２０００は、「第３世代パートナーシッププロジェクト２」（３ＧＰＰ２：3rd Generation Partnership Project 2）と称する団体からの文書に記載されている。これらの様々な無線技術および規格は知られているかまたは開発されている。たとえば、第３世代パートナーシッププロジェクト（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイルテレコミュニケーションズシステム（ＵＭＴＳ）モバイルフォン規格を改善することを目的とした３ＧＰＰプロジェクトである。３ＧＰＰは、次世代のモバイルネットワーク、モバイルシステム、およびモバイルデバイスのための仕様を定義し得る。明快のために、装置および技法のいくつかの態様は、以下ではＬＴＥ実装形態に関してまたはＬＴＥ中心の方法で説明されることがあり、以下の説明の部分ではＬＴＥ用語が例示的な例として使用されることがあるが、その説明は、ＬＴＥ適用例に限定されるものではない。実際、本開示は、異なる無線アクセス技術または無線エアインターフェースを使用した、ネットワーク間のワイヤレススペクトルへの共有アクセスに関係する。
【００４０】
[0050]また、キャリアグレードＷｉＦｉ（登録商標）に適合し得る、無認可スペクトル中に含むＬＴＥ／ＬＴＥ−Ａに基づくニューキャリアタイプが提案されており、それにより、無認可スペクトルを用いるＬＴＥ／ＬＴＥ−ＡがＷｉＦｉの代替になる。ＬＴＥ／ＬＴＥ−Ａは、無認可スペクトル中で動作するとき、ＬＴＥ概念を活用し得、無認可スペクトル中での効率的な動作を可能にすることと、規制要件を満たすこととのために、ネットワークまたはネットワークデバイスの物理レイヤ（ＰＨＹ）およびメディアアクセス制御（ＭＡＣ）態様にいくつかの変更を導入し得る。使用される無認可スペクトルは、たとえば、数百メガヘルツ（ＭＨｚ）程度から数十ギガヘルツ（ＧＨｚ）程度までにわたり得る。動作中、そのようなＬＴＥ／ＬＴＥ−Ａネットワークは、負荷と利用可能性とに応じて認可スペクトルまたは無認可スペクトルの任意の組合せで動作し得る。したがって、本明細書で説明されるシステム、装置および方法は他の通信システムおよび適用例に適用され得ることが当業者には明らかであり得る。
【００４１】
[0051]システム設計は、ビームフォーミングおよび他の機能を可能にするためにダウンリンクおよびアップリンクのための様々な時間周波数基準信号をサポートし得る。基準信号は、知られているデータに基づいて生成される信号であり、パイロット、プリアンブル、トレーニング信号、サウンディング信号などと呼ばれることもある。基準信号は、チャネル推定、コヒーレント復調、チャネル品質測定、信号強度測定など、様々な目的のために受信機によって使用され得る。複数のアンテナを使用するＭＩＭＯシステムは、概して、アンテナ間での基準信号の送信の協調を行うが、ＬＴＥシステムは、概して、複数の基地局またはｅＮＢからの基準信号の送信の協調を行わない。
【００４２】
[0052]いくつかの実装形態では、システムは時分割複信（ＴＤＤ）を利用し得る。ＴＤＤでは、ダウンリンクとアップリンクとは同じ周波数スペクトルまたはチャネルを共有し、ダウンリンク送信とアップリンク送信とは同じ周波数スペクトル上で送られる。したがって、ダウンリンクチャネル応答はアップリンクチャネル応答と相関し得る。相反性により、アップリンクを介して送られた送信に基づいてダウンリンクチャネルを推定することが可能になり得る。これらのアップリンク送信は、（復調後に基準シンボルとして使用され得る）基準信号またはアップリンク制御チャネルであり得る。アップリンク送信は、複数のアンテナを介した空間選択チャネルの推定を可能にし得る。
【００４３】
[0053]ＬＴＥ実装形態では、ダウンリンクのために、すなわち、基地局、アクセスポイントまたはｅノードＢ（ｅＮＢ）からユーザ端末またはＵＥまで、直交周波数分割多重（ＯＦＤＭ）が使用される。ＯＦＤＭの使用は、スペクトルフレキシビリティについてのＬＴＥ要件を満たし、高いピークレートで極めて広いキャリアのためのコスト効率の高いソリューションを可能にし、定着した技術である。たとえば、ＯＦＤＭは、ＩＥＥＥ８０２．１１ａ／ｇ、８０２．１６、欧州通信規格協会（ＥＴＳＩ）によって規格化されたＨｉｇｈ  Ｐｅｒｆｏｒｍａｎｃｅ  Ｒａｄｉｏ  ＬＡＮ−２（ＨＩＰＥＲＬＡＮ−２、ここにおいてＬＡＮはローカルエリアネットワークを表す）、ＥＴＳＩの合同技術委員会によって公開されたデジタルビデオブロードキャスティング（ＤＶＢ）などの規格、および他の規格において使用される。
【００４４】
[0054]時間周波数物理リソースブロック（ここではリソースブロック、または簡潔のために「ＲＢ」としても示される）は、ＯＦＤＭシステムにおいて、トランスポートデータに割り当てられたトランスポートキャリア（たとえば、サブキャリア）または間隔のグループとして定義され得る。ＲＢは、時間および周波数期間にわたって定義される。リソースブロックは、スロットにおける時間および周波数のインデックスによって定義され得る時間周波数リソース要素（ここではリソース要素、または簡潔のために「ＲＥ」としても示される）から構成される。ＬＴＥ  ＲＢおよびＲＥのさらなる詳細は、たとえば、３ＧＰＰ  ＴＳ３６．２１１などの３ＧＰＰ仕様に記載されている。
【００４５】
[0055]ＵＭＴＳ  ＬＴＥは、２０ＭＨｚから１．４ＭＨＺまでのスケーラブルなキャリア帯域幅をサポートする。ＬＴＥでは、ＲＢは、サブキャリア帯域幅が１５ｋＨｚであるときは１２個のサブキャリアとして定義され、またはサブキャリア帯域幅が７．５ｋＨｚであるときは２４個のサブキャリアとして定義される。例示的な実装形態では、時間領域において、１０ｍｓ長であり、それぞれ１ミリ秒（ｍｓ）の１０個のサブフレームからなる、定義された無線フレームがある。あらゆるサブフレームは、各スロットが０．５ｍｓである２つのスロットからなる。この場合、周波数領域におけるサブキャリア間隔は１５ｋＨｚである。（スロットごとに）これらのサブキャリアのうち１２個を合わせると、ＲＢが構成され、したがって、この実装形態では、１つのリソースブロックは１８０ｋＨｚである。６つのリソースブロックは１．４ＭＨｚのキャリアに適合し、１００個のリソースブロックは２０ＭＨｚのキャリアに適合する。
【００４６】
[0056]本開示の様々な他の態様および特徴が以下でさらに説明される。本明細書の教示は多種多様な形態で実施され得、本明細書で開示される特定の構造、機能、またはその両方は代表的なものにすぎず、限定するものではないことは明らかであろう。本明細書の教示に基づいて、本明細書で開示される態様は他の態様から独立して実装され得ること、およびこれらの態様のうちの２つまたはそれ以上は様々な方法で組み合わせられ得ることを、当業者は諒解されたい。たとえば、本明細書に記載される態様をいくつ使用しても、装置は実装され得、または方法は実施され得る。さらに、本明細書に記載される態様のうちの１つまたは複数に加えて、あるいはそれら以外の他の構造、機能、または構造および機能を使用して、そのような装置が実装され得るか、またはそのような方法が実施され得る。たとえば、方法は、システム、デバイス、装置の一部として実装され、および／あるいはプロセッサまたはコンピュータ上での実行のためにコンピュータ可読媒体に記憶された命令として実装され得る。さらに、１つの態様は、１つの請求項の少なくとも１つの要素を備え得る。
【００４７】
[0057]図１は、ＬＴＥ−Ａネットワークであり得る、通信のためのワイヤレスネットワーク１００を示す。ワイヤレスネットワーク１００は、いくつかの発展型ノードＢ（ｅＮＢ）１０５と他のネットワークエンティティとを含む。ｅＮＢは、ＵＥと通信する局であり得、基地局、ノードＢ、アクセスポイントなどと呼ばれることもある。各ｅＮＢ１０５は、特定の地理的エリアに通信カバレージを与え得る。３ＧＰＰでは、「セル」という用語は、その用語が使用されるコンテキストに応じて、ｅＮＢのこの特定の地理的カバレージエリアおよび／またはそのカバレージエリアをサービスするｅＮＢサブシステムを指すことがある。
【００４８】
[0058]ｅＮＢは、マクロセル、あるいはピコセルまたはフェムトセルなどのスモールセル、および／あるいは他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルなどのスモールセルは、概して、比較的より小さい地理的エリアをカバーすることになり、ネットワークプロバイダのサービスに加入しているＵＥによる無制限アクセスを可能にし得る。フェムトセルなどのスモールセルは、概して、比較的小さい地理的エリア（たとえば、自宅）をもカバーすることになり、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスをも与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。図１に示されている例では、ｅＮＢ１０５ａ、１０５ｂおよび１０５ｃは、それぞれ、マクロセル１１０ａ、１１０ｂおよび１１０ｃのためのマクロｅＮＢである。ｅＮＢ１０５ｘ、１０５ｙ、および１０５ｚは、それぞれ、スモールセル１１０ｘ、１１０ｙおよび１１０ｚにサービスを提供するピコｅＮＢまたはフェムトｅＮＢを含み得るスモールセルｅＮＢである。ｅＮＢは、１つまたは複数の（たとえば、２つ、３つ、４つなどの）セルをサポートし得る。
【００４９】
[0059]ワイヤレスネットワーク１００は同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有し得、異なるｅＮＢからの送信は時間的に整合されないことがある。
【００５０】
[0060]ＵＥ１１５はワイヤレスネットワーク１００全体にわたって分散され、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、稲妻（たとえば、通信リンク１２５）は、ダウンリンクおよび／またはアップリンク上での、ＵＥと、そのＵＥをサービスするように指定されたｅＮＢであるサービングｅＮＢとの間のワイヤレス送信、あるいはｅＮＢ間の所望の送信を示す。ワイヤードバックホール通信１３４は、ｅＮＢ間で行われ得るワイヤードバックホール通信を示す。
【００５１】
[0061]ＬＴＥ／−Ａは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の対応するシステム帯域幅に対してそれぞれ７２、１８０、３００、６００、９００、および１２００に等しくなり得る。システム帯域幅はまた、サブバンドに区分され得る。たとえば、サブバンドは１．０８ＭＨｚをカバーし得、１．４、３、５、１０、１５、または２０ＭＨｚの対応するシステム帯域幅に対してそれぞれ１つ、２つ、４つ、８つ、または１６個のサブバンドがあり得る。
【００５２】
[0062]図２は、図１中の基地局／ｅＮＢのうちの１つであり得る基地局／ｅＮＢ１０５および図１中のＵＥのうちの１つであり得るＵＥ１１５の設計のブロック図を示す。制限付き関連付けシナリオの場合、ｅＮＢ１０５は図１中のスモールセルｅＮＢ１０５ｚであり得、ＵＥ１１５は、スモールセルｅＮＢ１０５ｚにアクセスするためにスモールセルｅＮＢ１０５ｚのためのアクセス可能ＵＥのリスト中に含まれることになるＵＥ１１５ｚであり得る。ｅＮＢ１０５はまた、何らかの他のタイプの基地局であり得る。ｅＮＢ１０５はアンテナ２３４ａ〜２３４ｔを装備し得、ＵＥ１１５はアンテナ２５２ａ〜２５２ｒを装備し得る。
【００５３】
[0063]ｅＮＢ１０５において、送信プロセッサ２２０は、データソース２１２からデータを受信し、コントローラ／プロセッサ２４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ２２０は、データシンボルおよび制御シンボルを取得するために、それぞれデータおよび制御情報を処理（たとえば、符号化およびシンボルマッピング）し得る。送信プロセッサ２２０はまた、たとえば、ＰＳＳ、ＳＳＳ、およびセル固有基準信号のための基準シンボルを生成し得る。送信（ＴＸ）多入力多出力（ＭＩＭＯ）プロセッサ２３０が、適用可能な場合、データシンボル、制御シンボル、および／または基準シンボルに対して空間処理（たとえば、プリコーディング）を実行し得、出力シンボルストリームを変調器（ＭＯＤ）２３２ａ〜２３２ｔに与え得る。各変調器２３２は、出力サンプルストリームを取得するために、（たとえば、ＯＦＤＭなどのために）それぞれの出力シンボルストリームを処理し得る。各変調器２３２はさらに、ダウンリンク信号を取得するために、出力サンプルストリームを処理（たとえば、アナログ変換、増幅、フィルタ処理、およびアップコンバート）し得る。変調器２３２ａ〜２３２ｔからのダウンリンク信号は、それぞれアンテナ２３４ａ〜２３４ｔを介して送信され得る。
【００５４】
[0064]ＵＥ１１５において、アンテナ２５２ａ〜２５２ｒは、ｅＮＢ１０５からダウンリンク信号を受信し得、受信信号をそれぞれ復調器（ＤＥＭＯＤ）２５４ａ〜２５４ｒに与え得る。各復調器２５４は、入力サンプルを取得するために、それぞれの受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべての復調器２５４ａ〜２５４ｒから受信シンボルを取得し、適用可能な場合は受信シンボルに対してＭＩＭＯ検出を実行し、検出シンボルを与え得る。受信プロセッサ２５８が、検出シンボルを処理（たとえば、復調、デインターリーブ、および復号）し、ＵＥ１１５のための復号されたデータをデータシンク２６０に与え、復号された制御情報をコントローラ／プロセッサ２８０に与え得る。
【００５５】
[0065]アップリンク上では、ＵＥ１１５において、送信プロセッサ２６４は、データソース２６２から（たとえば、ＰＵＳＣＨのための）データを受信し、処理し得、コントローラ／プロセッサ２８０から（たとえば、ＰＵＣＣＨのための）制御情報を受信し、処理し得る。送信プロセッサ２６４はまた、基準信号のための基準シンボルを生成し得る。送信プロセッサ２６４からのシンボルは、適用可能な場合はＴＸ  ＭＩＭＯプロセッサ２６６によってプリコードされ、さらに（たとえば、ＳＣ−ＦＤＭなどのために）変調器２５４ａ〜２５４ｒによって処理され、ｅＮＢ１０５に送信され得る。ｅＮＢ１０５において、ＵＥ１１５からのアップリンク信号は、アンテナ２３４によって受信され、復調器２３２によって処理され、適用可能な場合はＭＩＭＯ検出器２３６によって検出され、ＵＥ１１５によって送られた復号されたデータと制御情報とを取得するために、受信プロセッサ２３８によってさらに処理され得る。プロセッサ２３８は、復号されたデータをデータシンク２３９に与え、復号された制御情報をコントローラ／プロセッサ２４０に与え得る。
【００５６】
[0066]コントローラ／プロセッサ２４０および２８０は、それぞれ、ｅＮＢ１０５およびＵＥ１１５における動作を指示し得る。ｅＮＢ１０５におけるコントローラ／プロセッサ２４０ならびに／あるいは他のプロセッサおよびモジュールは、本明細書で説明される技法のための様々なプロセスを実施するか、またはそれらの実行を指示し得る。ＵＥ１１５におけるコントローラ／プロセッサ２８０ならびに／あるいは他のプロセッサおよびモジュールはまた、本明細書で説明される技法のための様々なプロセスを実施するか、またはそれらの実行を指示し得る。メモリ２４２および２８２は、それぞれｅＮＢ１０５およびＵＥ１１５のためのデータおよびプログラムコードを記憶し得る。スケジューラ２４４は、ダウンリンクおよび／またはアップリンク上でのデータ送信のためにＵＥをスケジューリングし得る。
【００５７】
[0067]図３は、本開示の一態様による、第２の探索空間を設定するための方法を示すブロック図である。方法３００の態様は、基地局など、図１〜図２および図１０〜図１１に関して説明される本開示の態様を用いて実装され得る。また、例示的なブロックは、図１０に示されているようにｅＮＢ１０５に関して説明される。図１０は、本開示の一態様に従って構成されたｅＮＢ１０５を示すブロック図である。ｅＮＢ１０５は、図２のｅＮＢ１０５について示されるように、構造、ハードウェア、および構成要素を含む。たとえば、ｅＮＢ１０５は、メモリ２４２に記憶された論理またはコンピュータ命令を実行するように動作し、ならびにｅＮＢ１０５の特徴および機能を与えるｅＮＢ１０５の構成要素を制御するコントローラ／プロセッサ２４０を含む。ｅＮＢ１０５は、コントローラ／プロセッサ２４０の制御下で、ワイヤレス無線機１０００ａ〜ｔとアンテナ２３４ａ〜ｔとを介して信号を送信および受信する。ワイヤレス無線機１０００ａ〜ｔは、ｅＮＢ１０５について図２に示されているように、変調器／復調器２３２ａ〜ｔと、ＭＩＭＯ検出器２３６と、受信プロセッサ２３８と、送信プロセッサ２２０と、ＴＸ  ＭＩＭＯプロセッサ２３０とを含む、様々な構成要素およびハードウェアを含む。
【００５８】
[0068]詳細には、方法３００は、ブロック３０２において、プロセッサによって、第１の探索空間のための第１の探索空間構成を識別することを含む。たとえば、ｅＮＢ１０５は、コントローラ／プロセッサ２４０の制御下で、第１の探索空間のための第１の探索空間構成を識別し得る。本開示の一態様では、第１の探索空間は、ユニキャスト制御情報がモバイルデバイスによって取り出され得る１つまたは複数のロケーションを含み得る。たとえば、探索空間は、ＵＥがそれの物理ダウンリンク制御チャネル（ＰＤＣＣＨ：physical downlink control channel）、拡張ＰＤＣＣＨ（ＥＰＤＣＣＨ）、または拡張ＭＴＣ（ｅＭＴＣ：enhanced MTC）ＰＤＣＣＨ（ＭＰＤＣＣＨ）、および、特に、ＰＤＣＣＨ中のダウンリンク制御情報（ＤＣＩ：downlink control information）を見つけ得る制御チャネル要素（ＣＣＥ：control channel element）ロケーションまたは拡張ＣＣＥ（ＥＣＣＥ）ロケーションのセットを指すことがある。本開示の一態様では、第１の探索空間はＵＥ固有探索空間であり得る。ＵＥ固有探索空間は、制御情報が対象としたＵＥのみによって復号されることが可能である制御情報を基地局が与える探索空間であり得る。したがって、第１の探索空間中の制御情報が、基地局とＵＥとの間のユニキャスト通信を実現するために使用され得るので、第１の探索空間中の制御情報はユニキャスト制御情報と呼ばれることがある。本開示のいくつかの態様では、第１の探索空間中で送信される制御情報は、送信機電力制御（ＴＰＣ：transmitter power control）情報と、メッセージが正しく受信されたのか誤って受信されたのかを示す、肯定応答または否定応答とのうちの少なくとも１つを含み得る。
【００５９】
[0069]本開示の一態様では、第１の探索空間は、仕様によってなど、あらかじめ確立され得る。したがって、基地局は、たとえば、コントローラ／プロセッサ２４０の制御下で、ＵＥ固有制御情報を通信するために使用されるべきあらかじめ確立された探索空間を識別することによって第１の探索空間を識別し得る。同様に、ＵＥは、たとえば、コントローラ／プロセッサ２８０の制御下で、ＵＥ固有制御情報を通信するために使用されているあらかじめ確立された探索空間を識別することによって第１の探索空間を識別し得る。いくつかの態様では、基地局は、たとえば、コントローラ／プロセッサ２４０および／またはワイヤレス無線機１０００ａ〜ｔおよび／またはアンテナ２３４ａ〜ｔの制御下で、ＵＥに第１の探索空間構成を通知し得る。したがって、ＵＥによって第１の探索空間を識別することは、たとえば、コントローラ／プロセッサ２８０および／またはワイヤレス無線機１１００ａ〜ｒおよび／またはアンテナ２５２ａ〜ｒの制御下で、基地局から、第１の探索空間を指定するメッセージを受信することを含み得る。
【００６０】
[0070]ブロック３０４において、方法３００は、プロセッサによって、第１の探索空間構成に少なくとも部分的に基づいて、第２の探索空間のための第２の探索空間構成を設定することを含む。たとえば、ｅＮＢ１０５は、コントローラ／プロセッサ２４０および／またはワイヤレス無線機１０００ａ〜ｔの制御下で、第１の探索空間構成に少なくとも部分的に基づいて、第２の探索空間のための第２の探索空間構成を設定し得る。本開示の一態様では、第２の探索空間は、２つ以上のモバイルデバイスのための制御情報がモバイルデバイスによって取り出され得る１つまたは複数のロケーションを含み得る。本開示の一態様では、第２の探索空間は、複数のＵＥについて共通の探索空間であり得、すなわち、共通探索空間は特定のＵＥに固有でないことがある。共通探索空間は、制御情報が対象としたＵＥのみによって復号することが可能であるのではなく、多くのＵＥによって復号されることが可能である制御情報を基地局が与える探索空間であり得る。したがって、第２の探索空間中の制御情報が、基地局と複数のＵＥとの間のブロードキャスト通信を実現するために使用され得るので、第２の探索空間中の制御情報はブロードキャスト制御情報と呼ばれることがある。いくつかの実施形態では、第２の探索空間中で送信される制御情報は、ＴＰＣ情報とＡＣＫ／ＮＡＣＫ情報とのうちの少なくとも１つを含み得る。本開示のいくつかの態様では、共通探索空間は、情報がＵＥ固有探索空間中でＵＥによって利用可能でないかまたは復号可能でないとき、フォールバック探索空間として使用され得る。本開示のいくつかの態様では、共通探索空間は、ＵＥ固有探索空間がＵＥによって復号可能でないときにそれがＵＥによって使用され得るように、ＵＥ固有探索空間よりも大きい繰返しレベルで構成され得る。さらに、共通探索空間は、システム情報、ページング、またはグループ電力制御を与えるために使用され得る。
【００６１】
[0071]本開示の一態様によれば、第１の探索空間構成に少なくとも部分的に基づいて第２の探索空間構成を設定することは、第２の探索空間のための周波数帯域を、第１の探索空間の周波数帯域と重複する第１の周波数帯域に等しく設定することを含み得る。一例として、ｅＮＢ１０５は、コントローラ／プロセッサ２４０および／またはワイヤレス無線機１０００ａ〜ｔの制御下で、第２の探索空間のための周波数帯域を、第１の探索空間の周波数帯域と重複する第１の周波数帯域に等しく設定し得る。たとえば、本開示の一態様では、第１の探索空間は第１の周波数帯域を含み得る。電力およびコストを低減するために、周波数帯域は、狭周波数帯域であり得る。本開示のいくつかの態様では、狭周波数帯域は、約１ＭＨｚと同程度に小さいものから約３０ＭＨｚと同程度に大きいものにわたり得る。したがって、限定ではなく例示として、第１の探索空間が特定の周波数帯域幅の１．４ＭＨｚ範囲に設定された場合、第１の探索空間構成に少なくとも部分的に基づいて第２の探索空間構成を設定することは、第２の探索空間を、特定の周波数帯域幅の同じ１．４ＭＨｚ範囲に設定することを含み得る。その結果、基地局は、特定の帯域幅の同じ周波数範囲においてＵＥ固有制御情報、フォールバック制御情報、または複数のデバイスについて共通の制御情報を送信し得る。ＵＥ固有制御情報と共通制御情報とを区別するために、基地局は、コントローラ／プロセッサ２４０および／またはワイヤレス無線機１０００ａ〜ｔおよび／またはアンテナ２３４ａ〜ｔの制御下で、ＵＥ固有制御情報と共通制御情報とを別様にコーディングし、次いで、制御情報を受信するＵＥに、受信ＵＥが適当な情報を適切に復号することができるように、ＵＥ固有制御情報と共通制御情報とがどのようにコーディングされたかを通知し得、ただし、符号化は、異なるアグリゲーションまたは繰返しレベル、異なるスクランブリングシーケンス、異なる数の候補を含み得る。たとえば、一態様では、第１の探索空間は第１の数の候補を含み得、第２の探索空間は第２の数の候補を含み得る。
【００６２】
[0072]本開示の別の態様によれば、第１の探索空間構成に少なくとも部分的に基づいて第２の探索空間構成を設定することは、サブフレームなどの第１の送信時間間隔（ＴＴＩ：transmission time interval）中で、第２の探索空間のための周波数帯域を、第１の探索空間の周波数帯域と重複する第１の周波数帯域に等しく設定することと、第２のＴＴＩ中で、第２の探索空間のための周波数帯域を、第１の探索空間の周波数帯域と重複しない第２の周波数帯域に等しく設定することとを含み得る。一例として、ｅＮＢ１０５は、コントローラ／プロセッサ２４０および／またはワイヤレス無線機１０００ａ〜ｔの制御下で、第１のＴＴＩ中で、第２の探索空間のための周波数帯域を、第１の探索空間の周波数帯域と重複する第１の周波数帯域に等しく設定することと、第２のＴＴＩ中で、第２の探索空間のための周波数帯域を、第１の探索空間の周波数帯域と重複しない第２の周波数帯域に等しく設定することとを行い得る。例示のために、図４は、本開示の一態様による、第１の探索空間に基づく第２の探索空間の設定の一例を示す図を与える。３つの異なるＴＴＩ４５０が図４に示されている。各ＴＴＩは別個の時間間隔を占有する。言い換えれば、２つのＴＴＩは時間的に重複しない。
【００６３】
[0073]図４に示されている開示の態様では、ＵＥ固有探索空間（ＵＳＳ：UE-specific search space）中のＵＥ固有制御情報の送信と共通探索空間（ＣＳＳ：common search space）中の共通制御情報の送信とは、ホッピングされた送信を含み得る。ＵＥ固有制御情報と共通制御情報とは別様にコーディングされ得る。したがって、ＵＥ固有制御情報と共通制御情報とは別個のデータパターンを有し得る。ＴＴＩ４５０Ａでは、その両方が別様にコーディングされ得るＵＥ固有制御情報と共通制御情報とは、同じ狭周波数帯域４１０中にあり得る。ＴＴＩ４５０Ｂでは、ＵＥ固有制御情報は、狭周波数帯域４２０中にあり得、共通制御情報は、狭周波数帯域４３０中にあり得る。ＴＴＩ４５０Ｃでは、ＵＥ固有制御情報と共通制御情報とは、再び同じ狭周波数帯域４１０中にあり得る。したがって、ＵＥ固有制御情報と共通制御情報とを送信するためにホッピングされた送信を実装する基地局は、ＵＳＳとＣＳＳとが重複するように、第１のＴＴＩ中で同じ周波数帯域中で両方を送信し得る。次いで、基地局は、ＵＳＳとＣＳＳとが重複しないように、第２のＴＴＩ中で異なる周波数帯域中で両方を送信し得る。後続のＴＴＩ中で、ＵＥ固有制御情報と共通制御情報とは、第１または第２のＴＴＩ中で行われたのと同様に、同じまたは異なる周波数帯域中に含まれ得る。いくつかの場合には、ＵＳＳとＣＳＳとが同じ周波数帯域中で重複するときのみ、ＵＥがＣＳＳを復号し得る。
【００６４】
[0074]本開示の別の態様によれば、第１の探索空間構成に少なくとも部分的に基づいて第２の探索空間構成を設定することは、第１の探索空間を設定するために使用されたパラメータを含まないパラメータに基づいて、第２の探索空間を設定することを含み得る。一例として、ｅＮＢ１０５は、コントローラ／プロセッサ２４０および／またはワイヤレス無線機１０００ａ〜ｔの制御下で、第１の探索空間を設定するために使用されたパラメータを含まないパラメータに基づいて、第２の探索空間を設定し得る。言い換えれば、第１の探索空間を設定するために使用されたパラメータの使用は、第２の探索空間を設定するときに回避され得る。たとえば、本開示の一態様では、第１の探索空間は、メモリ２４２に記憶され得るセル無線ネットワーク一時識別子（Ｃ−ＲＮＴＩ：cell radio network temporary identifier）など、モバイルデバイスの識別子に基づいて設定された候補を含み得る。しかしながら、第２の探索空間の候補は、モバイルデバイスの識別子を含まないパラメータに基づいて設定され得る。言い換えれば、基地局は、第２の探索空間を設定するとき、Ｃ−ＲＮＴＩを使用することを回避し得る。
【００６５】
[0075]ブロック３０６において、方法３００は、プロセッサによって、第１の探索空間と第２の探索空間とのうちの少なくとも１つ中で制御情報をモバイルデバイスに送信することを含む。一例として、ｅＮＢ１０５は、コントローラ／プロセッサ２４０および／またはワイヤレス無線機１０００ａ〜ｔおよび／またはアンテナ２３４ａ〜ｔの制御下で、第１の探索空間と第２の探索空間とのうちの少なくとも１つ中で制御情報をモバイルデバイスに送信し得る。たとえば、一実施形態では、基地局は、第２の探索空間のための周波数帯域が、特定の帯域幅中で第１の探索空間の周波数帯域と重複するように設定されたとき、特定の帯域幅中の同じ周波数帯域中でＵＥ固有制御情報と共通制御情報とを送信し得る。別の態様では、基地局は、上記で、および図４を参照しながら説明されたように、ホッピングされた様式でＵＥ固有制御情報と共通制御情報とを送信し得る。また別の態様では、基地局は、第１の探索空間中でＵＥ固有制御情報を送信し、上記で開示されたように基地局がＵＥ識別子の使用を回避しながら設定した第２の探索空間中で共通制御情報を送信し得る。本開示のいくつかの態様では、ブロック３０６などにおける送信することは、アップリンク送信のための許可と、ダウンリンク送信のための許可と、フォールバック制御情報を含むフォールバック許可と、ＴＰＣ情報と、メッセージが正しく受信されたのか誤って受信されたのかを示す、肯定応答または否定応答とのうちの少なくとも１つを送信することを含み得る。本開示のいくつかの態様では、ブロック３０６などにおける送信することは、第１の探索空間中で、第１の送信モードに関連付けられた制御情報を送信することと、第２の探索空間中で、第２の送信モードに関連付けられた制御情報を送信することとを含み得る。
【００６６】
[0076]本開示のいくつかの態様では、ＵＥは、それぞれＵＥ固有制御情報と共通制御情報との送信のために使用される第１の探索空間と第２の探索空間とを決定し、送信されたＵＥ固有制御情報と共通制御情報とを受信するように構成され得る。たとえば、ＵＥ１１５は、コントローラ／プロセッサ２８０および／またはワイヤレス無線機１１００ａ〜ｒおよび／またはアンテナ２５２ａ〜ｒの制御下で、それぞれＵＥ固有制御情報と共通制御情報との送信のために使用される第１の探索空間と第２の探索空間とを決定および識別し、送信されたＵＥ固有制御情報と共通制御情報とを受信し得る。特に、ＵＥは、第１の探索空間のための第１の探索空間構成を識別するように構成され得る。たとえば、一実施形態では、ＵＥは、基地局から、第１の探索空間のための構成情報を受信し得る。したがって、ＵＥは、基地局から受信された情報に基づいて第１の探索空間を識別し得る。
【００６７】
[0077]第１の探索空間構成情報を受信した後に、ＵＥは、第１の探索空間構成に少なくとも部分的に基づいて、第２の探索空間構成を決定するように構成され得る。一例として、ＵＥ１１５は、コントローラ／プロセッサ２８０および／またはワイヤレス無線機１１００ａ〜ｒおよび／またはアンテナ２５２ａ〜ｒの制御下で、第１の探索空間構成に少なくとも部分的に基づいて、第２の探索空間構成を決定し得る。たとえば、一態様では、ＵＥは、第２の探索空間のための周波数帯域を、第１の探索空間の周波数帯域と重複する第１の周波数帯域に等しく設定することによって、第２の探索空間が確立されたと決定するように構成され得る。別の態様では、ＵＥは、第１のＴＴＩ中で、第２の探索空間のための周波数帯域が、第１の探索空間の周波数帯域と重複する第１の周波数帯域に等しく設定されたことと、第２のＴＴＩ中で、第２の探索空間のための周波数帯域が、第１の探索空間の周波数帯域と重複しない第２の周波数帯域に等しく設定されたこととを決定するように構成され得る。また別の態様では、ＵＥは、第１の探索空間が、モバイルデバイスの識別子に基づいて設定された候補を含むことと、第２の探索空間の候補が、モバイルデバイスの識別子を含まないパラメータに基づいて設定されたこととを決定するように構成され得る。
【００６８】
[0078]いくつかの実施形態では、ＵＥは、基地局によって与えられた情報に基づいて、第２の探索空間を決定し得る。一例として、ＵＥ１１５は、コントローラ／プロセッサ２８０および／またはワイヤレス無線機１１００ａ〜ｒの制御下で、基地局によって与えられた情報に基づいて、第２の探索空間を決定し得る。たとえば、基地局は、ＵＥに第２の探索空間のための構成を通知し得る。別の実施形態では、基地局とＵＥとの間で、基地局が第１の探索空間構成情報のみを送るような第２の探索空間がどのように構成されることになるかに関する同意が確立され得、その情報に基づいて、ＵＥは第２の探索空間構成を決定する。また別の実施形態では、ＵＥは、第２の探索空間がどのように構成されたかと、第２の探索空間構成が第１の探索空間構成に基づいて設定されたかどうかとを示すメッセージを受信し得る。
【００６９】
[0079]第２の探索空間構成を決定した後に、ＵＥは、第１の探索空間と第２の探索空間とを監視し、基地局から、第１の探索空間と第２の探索空間とのうちの少なくとも１つ中で制御情報を受信し得る。一例として、ＵＥ１１５は、コントローラ／プロセッサ２８０および／またはワイヤレス無線機１１００ａ〜ｒおよび／またはアンテナ２５２ａ〜ｒの制御下で、第１の探索空間と第２の探索空間とを監視し、基地局から、第１の探索空間と第２の探索空間とのうちの少なくとも１つ中で制御情報を受信し得る。たとえば、一実施形態では、ＵＥは、第２の探索空間のための周波数帯域が、特定の帯域幅中の第１の探索空間の周波数帯域と重複するように設定されたとき、特定の帯域幅中の同じ周波数帯域中でＵＥ固有制御情報と共通制御情報とを受信し得る。別の態様では、ＵＥは、第１の探索空間中でＵＥ固有制御情報を受信し、上記で開示されたように基地局がＵＥ識別子の使用を回避しながら設定した第２の探索空間中で共通制御情報を受信し得る。
【００７０】
[0080]また別の態様では、ＵＥは、上記で、および図４を参照しながら説明されたように、ホッピングされた様式でＵＥ固有制御情報と共通制御情報とを受信し得る。たとえば、図４を参照すると、一実施形態では、ＵＥ固有制御情報は、共通制御情報に勝る優先度を有し得る。したがって、ＵＥは、ＴＴＩ４５０Ａ、４５０Ｂ、および４５０ＣなどのすべてのＴＴＩ中でＵＥ固有制御情報についてＰＤＣＣＨを監視し、ＴＴＩ４５０Ａおよび４５０Ｃなど、ＴＴＩ全部のサブセット中で共通制御情報についてＰＤＣＣＨを監視するように構成され得る。別の実施形態では、共通制御情報は、基地局がＵＥ固有制御情報を送信しないか、またはＵＥがＵＥ固有制御情報を受信しないときなど、優先度を有し得る。そのような場合、ＵＥは、ＴＴＩ４５０Ａ、４５０Ｂ、および４５０ＣなどのすべてのＴＴＩ中で共通制御情報を監視するように構成され得る。
【００７１】
[0081]本開示のいくつかの態様では、ＵＥは、コントローラ／プロセッサ２４０および／またはワイヤレス無線機１０００ａ〜ｔおよび／またはアンテナ２３４ａ〜ｔおよび／またはスケジューラ２４４の制御下でなど、半永続的スケジューリング（ＳＰＳ：semi-persistent scheduling）が基地局によって通信のために利用されているか否かに基づいて、ＵＳＳまたはＣＳＳを監視するように構成され得る。たとえば、ＵＥは、ＳＰＳが使用されていないとき、ＵＳＳのみを監視し得るが、ＳＰＳが使用されているとき、ＵＳＳとＣＳＳの両方を監視し得る。さらに、ＳＰＳが通信のために利用されているとき、ＵＥに電力制御情報をより効率的に送信するために、基地局は、ＳＰＳが使用されているとき、たとえば、コントローラ／プロセッサ２４０および／またはワイヤレス無線機１０００ａ〜ｔおよび／またはアンテナ２３４ａ〜ｔおよび／またはスケジューラ２４４の制御下で、ＤＣＩ３／３Ａを使用してＡＣＫ／ＮＡＣＫとＴＰＣ情報とを送信し得る。本開示のいくつかの態様では、ＡＣＫ／ＮＡＣＫのためのビット幅とＴＰＣのためのビット幅とは、同じになるように規定され得るか、または別様に構成され得る。
【００７２】
[0082]図５は、本開示の一態様による、探索空間を監視するための方法を示すブロック図である。方法５００の態様は、ＵＥなど、図１〜図２および図１０〜図１１に関して説明される本開示の態様を用いて実装され得る。また、例示的なブロックは、図９に示されているようにＵＥ１１５に関して説明される。図９は、本開示の一態様に従って構成されたＵＥ１１５を示すブロック図である。ＵＥ１１５は、図２のＵＥ１１５について示されるように、構造、ハードウェア、および構成要素を含む。たとえば、ＵＥ１１５は、メモリ２８２に記憶された論理またはコンピュータ命令を実行するように動作し、ならびにＵＥ１１５の特徴および機能を与えるＵＥ１１５の構成要素を制御するコントローラ／プロセッサ２８０を含む。ＵＥ１１５は、コントローラ／プロセッサ２８０の制御下で、ワイヤレス無線機１１００ａ〜ｒとアンテナ２５２ａ〜ｒとを介して信号を送信および受信する。ワイヤレス無線機１１００ａ〜ｒは、ＵＥ１１５について図２に示されているように、変調器／復調器２５４ａ〜ｒと、ＭＩＭＯ検出器２５６と、受信プロセッサ２５８と、送信プロセッサ２６４と、ＴＸ  ＭＩＭＯプロセッサ２６６とを含む、様々な構成要素およびハードウェアを含む。
【００７３】
[0083]詳細には、方法５００は、ブロック５０２において、プロセッサによって、第１の探索空間を識別することを含む。たとえば、ＵＥ１１５は、コントローラ／プロセッサ２８０の制御下で、第１の探索空間を識別し得る。本開示のいくつかの態様では、第１の探索空間は、ユニキャスト制御情報がそこから取り出され得る１つまたは複数のロケーションを含み得る。たとえば、上記で開示されたように、一実施形態では、ＵＥは、たとえば、コントローラ／プロセッサ２８０および／またはワイヤレス無線機１１００ａ〜ｒおよびアンテナ２５２ａ〜ｒの制御下で、基地局から、第１の探索空間のための構成情報を受信し得る。したがって、ＵＥは、基地局から受信された情報に基づいて第１の探索空間を識別し得る。
【００７４】
[0084]ブロック５０４において、方法５００は、プロセッサによって、第２の探索空間を識別することを含む。たとえば、ＵＥ１１５は、コントローラ／プロセッサ２８０の制御下で、第２の探索空間を識別し得る。本開示のいくつかの態様では、第２の探索空間は、２つ以上のモバイルデバイスのための制御情報がそこから取り出され得る１つまたは複数のロケーションを含み得る。たとえば、第１の探索空間と同様に、一実施形態では、ＵＥは、たとえば、コントローラ／プロセッサ２８０および／またはワイヤレス無線機１１００ａ〜ｒおよびアンテナ２５２ａ〜ｒの制御下で、基地局から、第２の探索空間のための構成情報を受信し得る。したがって、ＵＥは、基地局から受信された情報に基づいて第２の探索空間を識別し得る。
【００７５】
[0085]ブロック５０６において、方法５００は、プロセッサによって、時分割多重パターンに基づいて第１の探索空間と第２の探索空間とを監視することを含む。一例として、ＵＥ１１５は、コントローラ／プロセッサ２８０および／またはワイヤレス無線機１１００ａ〜ｒおよび／またはアンテナ２５２ａ〜ｒの制御下で、時分割多重パターンに基づいて第１の探索空間と第２の探索空間とを監視し得る。たとえば、一態様では、ＵＳＳとＣＳＳとは、特定の通信帯域幅の異なる重複しない狭周波数帯域を占有し得、第１の探索空間と第２の探索空間との監視は時分割多重パターンに基づき得る。しかしながら、ＵＳＳとＣＳＳとが特定の通信帯域幅の同じ重複する周波数帯域を占有する本開示の態様においてさえ、図３および図４に関して本明細書で開示されるように、第１の探索空間と第２の探索空間との監視は時分割多重パターンに基づき得る。
【００７６】
[0086]本開示の一態様によれば、監視することは、ＵＥが、たとえば、コントローラ／プロセッサ２８０および／またはワイヤレス無線機１１００ａ〜ｒおよび／またはアンテナ２５２ａ〜ｒの制御下で、プロセッサが復号することが可能である、第１の探索空間中のユニキャスト制御情報について、第１の探索空間を監視することと、プロセッサが復号することが可能であるユニキャスト制御情報がその間に第１の探索空間中に存在しない第１の時間間隔がいつ経過したかを決定することと、第１の時間間隔が経過したと決定すると、第２の探索空間を監視することとを含み得る。いくつかの場合には、監視することは、信号対雑音比（ＳＮＲ：signal to noise ratio）値を決定することと、ＳＮＲ決定に基づいて第１の探索空間および／または第２の探索空間を監視することとを含み得る。たとえば、一態様では、第１の探索空間は、ＳＮＲ値がしきい値を超えると決定すると監視され得、第２の探索空間は、ＳＮＲ値がしきい値を超えないと決定すると監視され得、またはその逆もあり得る。ＵＳＳがＣＳＳに勝る優先度をとるときなど、いくつかの態様では、ＵＥは、制御情報がＣＳＳ、すなわち、第２の探索空間中にあるかどうかにかかわらず、ＵＳＳ、すなわち、第１の探索空間を監視するように構成され得る。しかしながら、ＵＥは、ＵＥ固有制御情報が最後にＵＳＳ中で与えられてからどのくらいの時間が過ぎたかを追跡し得る。さらに、ＵＥは、その時間を、あらかじめ定義されるか、ユーザから与えられるか、または動的に自動的に生成され得るしきい値と比較し得る。しきい値は、ＵＥがＣＳＳの監視に遷移する前にＵＳＳを監視し得る時間の最大量を表し得る。したがって、プロセッサが復号することが可能であるユニキャスト制御情報などのＵＥ固有制御情報が最後にＵＳＳ中で与えられてからの時間がしきい値を超えたとＵＥが決定したとき、ＵＥは、共通制御情報についてのＣＳＳの監視に遷移し得る。一態様では、ＣＳＳは、ＳＮＲがしきい値を下回ると決定されたときに監視され得、ＵＳＳは、ＳＮＲがしきい値を上回ると決定されたときに監視され得る。別の態様では、ＣＳＳは、ＵＥ固有制御情報が、たとえば、送信または受信中の不完全な符号化またはエラーの結果として受信されないとき、探索されるべきフォールバック探索空間として働き得る。
【００７７】
[0087]本開示の別の態様では、時分割多重パターンに基づいて第１の探索空間と第２の探索空間とを監視することは、あらゆる無線フレームの第１のＴＴＩ中で共通制御情報についてＣＳＳを監視し、あらゆる無線フレームのＴＴＩの残りにおいてＵＥ固有制御情報についてＵＳＳを監視するようにＵＥを構成することを含み得る。一例として、ＵＥ１１５は、コントローラ／プロセッサ２８０および／またはワイヤレス無線機１１００ａ〜ｒおよび／またはアンテナ２５２ａ〜ｒの制御下で、あらゆる無線フレームの第１のＴＴＩ中で共通制御情報についてＣＳＳを監視し、あらゆる無線フレームのＴＴＩの残りにおいてＵＥ固有制御情報についてＵＳＳを監視するようにそれ自体を構成し得る。本開示の別の態様によれば、監視することは、あらゆるＴＴＩ中でＵＥ固有制御情報についてＵＳＳを監視することと、３番目ごとのＴＴＩ、または５番目ごとのＴＴＩなど、Ｎ番目ごとのＴＴＩ中で共通制御情報についてＣＳＳを監視することとをも含み得る。
【００７８】
[0088]本開示の別の態様によれば、ＵＥは、通信チャネルを、共通探索空間、ＣＳＳ中で、第１のタイプの情報（たとえばＤＣＩ１Ａ）について監視し、ＵＥ固有探索空間、ＵＳＳ中で、第２のタイプの情報（たとえば、ＤＣＩ１Ｂ、または他の送信モードでの等価物）について監視し得る。ＵＥが追加の送信モードを監視するように構成されないとき、第１のタイプの情報は第２のタイプの情報と同じであり得る。さらに、本開示の別の態様では、ＵＥは、第１の送信モードに関連付けられた制御情報について共通探索空間を監視し得、第２の送信モードに関連付けられた制御情報についてＵＥ固有探索空間を監視し得る。
【００７９】
[0089]図６は、本開示の一態様による、探索空間を設定するための方法を示すブロック図である。方法６００の態様は、基地局など、図１〜図２および図１０〜図１１に関して説明される本開示の態様を用いて実装され得る。また、例示的なブロックは、図１０に示されているようにｅＮＢ１０５に関して説明される。
【００８０】
[0090]詳細には、方法６００は、ブロック６０２において、プロセッサによって、受信のためにモバイルデバイスによって必要とされる送信電力に少なくとも部分的に基づいて、第１の探索空間のための第１の探索空間構成と、第２の探索空間のための第２の探索空間構成とを設定することを含み、ここにおいて、第１の探索空間は、ユニキャスト制御情報がモバイルデバイスによって取り出され得る１つまたは複数のロケーションを備え、ここにおいて、第２の探索空間は、２つ以上のモバイルデバイスのための制御情報がモバイルデバイスによって取り出され得る１つまたは複数のロケーションを備える。一例として、ｅＮＢ１０５は、コントローラ／プロセッサ２４０および／またはワイヤレス無線機１０００ａ〜ｔおよび／またはアンテナ２３４ａ〜ｔの制御下で、受信のためにモバイルデバイスによって必要とされる送信電力に少なくとも部分的に基づいて、第１の探索空間のための第１の探索空間構成と、第２の探索空間のための第２の探索空間構成とを設定し得る。たとえば、基地局と通信することが可能な異なるＵＥは、基地局からの通信のために異なる繰返し／アグリゲーションレベルを必要とし得る。たとえば、基地局と通信することが可能な１つのＵＥが、ユーティリティメーターなど、居住地の地階中の深く、または建築物のコンクリートの層の後ろに位置するＵＥであり得る。そのようなＵＥは、Ｒ＝｛２，４，８｝として定義される繰返し／アグリゲーションレベルを有し得、ここで、２、４、および８は、基地局からの通信のプロパティに基づいて必要とされる繰返し／アグリゲーションレベルを指定する。Ｒ＝｛２，４，８｝は、最低でも、ＵＥが少なくとも繰返しレベル２を必要とすることと、ＵＥのために必要とされ得る最大繰返しレベルが８であることとを示す。言い換えれば、繰返しレベル２は、通信が２回送信されなければならないことを意味し、繰返しレベルＮは、通信がＮ回送信されなければならないことを意味する。別のＵＥは、たとえば、ＵＥが材料の層(layers of material)によって阻止されないので、あまり厳しくない繰返しレベルを有し得、したがって、Ｒ＝｛１，２，４｝として定義される繰返しレベルを有し得る。したがって、ブロック６０２において示されているように、基地局は、モバイルデバイスに関連付けられた繰返しレベル、すなわち、受信のためにモバイルデバイスによって必要とされる送信電力に少なくとも部分的に基づいて、第１の探索空間のための第１の探索空間構成と第２の探索空間のための第２の探索空間構成とを設定し得る。本開示のいくつかの態様では、繰返しレベルは、通信に関連付けるべきバンドルサイズと呼ばれることがある。
【００８１】
[0091]特に、一態様では、基地局は、それのセル中に３つのＵＥを含み、ＵＥ１が、Ｒ１＝｛１，２，４｝によって定義される繰返しレベルを有し、ＵＥ２が、Ｒ２＝｛２，４，８｝によって定義される繰返しレベルを有し、ＵＥ３が、Ｒ３＝｛１，２，４｝によって定義される繰返しレベルを有し得る。一態様によれば、基地局は、ＵＳＳを、ＵＳＳ中のＵＥ固有制御情報が対象とするＵＥに関連付けられた繰返しレベルに関連付け得る。たとえば、ＵＥ１のためのＵＳＳを設定する際に、ＵＥ１のみが、ＵＥ固有制御情報を含む通信の対象受信側であるので、基地局は、ＵＳＳを、Ｒ１＝｛１，２，４｝として定義される繰返しレベルに関連付け得る。しかしながら、基地局は、ＣＳＳを、ＣＳＳ中の共通制御情報が対象とするＵＥのグループ中の任意のＵＥに関連付けられたワーストケース繰返しレベルに等しい繰返しレベルに関連付け得る。たとえば、ＵＥ１、ＵＥ２、およびＵＥ３のためのＣＳＳを設定する際に、ＵＥ１、ＵＥ２、およびＵＥ３はすべて、共通制御情報を含む通信の対象受信側であり得、すべてのＵＥが通信を受信することを保証するために、基地局は、ＵＥ２によって設定されたワーストケース通信要件が満たされることを確実にしなければならないので、基地局は、ＣＳＳを、Ｒ＝｛２，４，８｝として定義される繰返しレベル、すなわち、ＵＥ２に関連付けられた同じ繰返しレベルＲ２に関連付け得る。
【００８２】
[0092]本開示の別の態様によれば、基地局は、必要でないときに不要な繰返しを回避するために、それらの関連付けられた繰返しレベルに基づいてＵＥをグループ化し得る。たとえば、ＵＥ１とＵＥ２とＵＥ３とを含む上記に与えられた例では、基地局は、それらの繰返しレベルが同じであるので、ＵＥ１とＵＥ２とをグループ化し得る。したがって、ＵＥ１およびＵＥ２のためのＣＳＳを設定するとき、ＵＥ１もＵＥ２も４よりも大きい繰返しレベルを必要としないので、基地局は、ＣＳＳを、Ｒ＝｛１，２，４｝として定義される繰返しレベルに関連付け得る。
【００８３】
[0093]本開示の別の態様によれば、基地局は、ＵＥのために必要な繰返しレベルよりも大きい繰返しレベルでＵＥのためのＣＳＳを構成し得る。たとえば、ＵＥ１は、ＵＳＳについて繰返しレベルＲ＝｛１，２，４｝で構成され、ＣＳＳについてＲ＝｛２，４，８｝で構成され得る。このより大きい繰返しレベルは、たとえば、ＳＮＲレベルの低下を検出した後に、フォールバックモードでＵＥによって監視され得る。
【００８４】
[0094]本開示のいくつかの態様では、バンドルサイズ構成、すなわち、繰返し／アグリゲーションレベルは、異なる方法でＵＥによって取得され得る。たとえば、ＵＥ固有探索空間に関連付けられたバンドルサイズ構成の場合、バンドルサイズ構成は、無線リソース制御（ＲＲＣ）シグナリングを介して取得され得る。共通探索空間に関連付けられたバンドルサイズ構成の場合、バンドルサイズ構成は、ＲＲＣシグナリングを介して取得され得、それは、ＵＥ固有探索空間のためのバンドルサイズ構成とは異なり得る。言い換えれば、ＵＥは、共通探索空間のための別個のＲＲＣ構成を受信し得る。また、ＣＳＳのためのバンドルサイズ構成は、それをＵＳＳのためのバンドルサイズと同じ値に設定することによって取得され得る。本開示の別の態様では、バンドルサイズ構成は、ブロードキャストメッセージによって取得され得る。
【００８５】
[0095]ブロック６０４において、方法６００は、プロセッサによって、第１の探索空間と第２の探索空間とのうちの少なくとも１つ中で制御情報をモバイルデバイスに送信することを含む。たとえば、ｅＮＢ１０５は、コントローラ／プロセッサ２４０および／またはワイヤレス無線機１０００ａ〜ｔおよび／またはアンテナ２３４ａ〜ｔの制御下で、第１の探索空間と第２の探索空間とのうちの少なくとも１つ中で制御情報をモバイルデバイスに送信し得る。いくつかの態様では、送信は、ＵＳＳまたはＣＳＳに関連付けられた繰返しレベルに基づいてＵＳＳまたはＣＳＳ中での制御情報の再送信を含み得る。したがって、基地局は、第１の探索空間、すなわち、ＵＳＳ中でモバイルデバイスに制御情報を第１の回数再送信するように構成され得、ここにおいて、再送信するための第１の回数は、モバイルデバイスによって受信のために必要とされる送信電力、すなわち、モバイルデバイスに関連付けられた繰返しレベルに基づいて決定される。さらに、基地局は、第２の探索空間、すなわち、ＣＳＳ中でモバイルデバイスに制御情報を第２の回数再送信するように構成され得、ここにおいて、再送信するための第２の回数は、複数のモバイルデバイスによって受信のために必要とされる送信電力に基づいて決定され、ここにおいて、第２の回数は第１の回数とは異なる。たとえば、上記で説明されたように、複数のモバイルデバイスによって受信のために必要とされる送信電力は、ＣＳＳ中での共通制御情報の対象受信側である任意のデバイスによって必要とされるワーストケース繰返しレベルであり得る。
【００８６】
[0096]同様に、ＵＥは、第１の繰返しレベルに関連付けられたＵＳＳを受信し、第２の繰返しレベルに関連付けられたＣＳＳを受信するように構成され得る。一例として、ＵＥ１１５は、コントローラ／プロセッサ２８０および／またはワイヤレス無線機１１００ａ〜ｒおよび／またはアンテナ２５２ａ〜ｒの制御下で、第１の繰返しレベルに関連付けられたＵＳＳを受信し、第２の繰返しレベルに関連付けられたＣＳＳを受信し得る。たとえば、ＵＥは、ＵＳＳ中で制御情報を受信し得、ここで、ＵＳＳ中の制御情報は、ＵＥによって受信のために必要とされる送信電力、すなわち、ＵＥに関連付けられた繰返しレベルに基づいて決定された第１の回数再送信された。さらに、ＵＥは、ＣＳＳ中で制御情報を受信し得、ここで、ＣＳＳ中の制御情報は、ＣＳＳ中での共通制御情報の対象受信側である任意デバイスによって必要とされるワーストケース繰返しレベルなど、複数のＵＥによって受信のために必要とされる送信電力に基づいて決定された第２の回数再送信された。
【００８７】
[0097]いくつかの実施形態では、基地局は、たとえば、コントローラ／プロセッサ２４０および／またはワイヤレス無線機１０００ａ〜ｔおよび／またはアンテナ２３４ａ〜ｔの制御下で、ＵＥに、ＵＳＳとＣＳＳとに関連付けられた繰返しレベルを通知し得る。別の実施形態では、ＵＥは、たとえば、コントローラ／プロセッサ２８０および／またはワイヤレス無線機１１００ａ〜ｒおよび／またはアンテナ２５２ａ〜ｒの制御下で、基地局からメッセージ中で受信された情報、またはＵＥにおいてＵＥによって処理される情報に基づいて、ＵＳＳとＣＳＳとに関連付けられた繰返しレベルを決定し得る。
【００８８】
[0098]いくつかの実施形態では、ＵＥおよび基地局によって利用される、方法３００、５００、または６００などのワイヤレス通信の方法は、バンドルサイズ、すなわち、通信に関連付けられた繰返しレベルに基づいて決定され得る。たとえば、Ｒ≦４など、ほとんど、またはまったく繰返しレベルが必要とされない、すなわち、最小バンドリングが必要とされるとき、基地局とＵＥとによって利用される通信は、方法３００において開示された通信と最も厳密に整合し得る。しかしながら、Ｒ≧４など、大量の繰返しが必要とされる、すなわち、大きいバンドリングが必要とされるとき、基地局とＵＥとによって利用される通信は、方法５００において開示された通信と最も厳密に整合し得る。
【００８９】
[0099]図７は、本開示の一態様による、複数の送信モードを使用するワイヤレス通信のための方法を示すブロック図である。方法７００の態様は、ＵＥなど、図１〜図２および図１０〜図１１に関して説明される本開示の態様を用いて実装され得る。また、例示的なブロックは、図１１に示されているようにＵＥ１１５に関して説明される。
【００９０】
[00100]基地局とＵＥとの間の通信は、単一の送信アンテナおよび単一の受信機アンテナ（ＳＩＳＯ）、ダイバーシティ送信、複数の送信アンテナおよび複数の受信機アンテナ（ＭＩＭＯ）など、異なる送信モードを使用して実現され得る。特定の送信モードで通信するために異なる情報がＵＥによって必要とされ得るので、許可、すなわち、制御情報を含むＰＤＣＣＨ中のメッセージのサイズは、ある送信または別の送信において動作するようにＵＥを構成するときに異なり得る。言い換えれば、許可のサイズは、送信モードに関する許可中で送られる必要がある情報に応じて変動し得る。たとえば、第１の送信モードに関する情報を与える許可は、Ｎビットのサイズを有し得る。しかしながら、第２の送信モードに関する情報を与える許可は、Ｎよりも大きくなり得るＭビットのサイズを有し得る。したがって、図７は、本開示の一態様による、複数の送信モードを使用するワイヤレス通信のための方法を示すブロック図を与える。
【００９１】
[00101]詳細には、方法７００は、ブロック７０２において、モバイルデバイスを、第１の送信モードに従ってメッセージを受信するように構成することを含む。一例として、ＵＥ１１５は、コントローラ／プロセッサ２８０および／またはワイヤレス無線機１１００ａ〜ｒおよび／またはアンテナ２５２ａ〜ｒの制御下で、第１の送信モードに従ってメッセージを受信するようにそれ自体を構成し得る。たとえば、モバイルデバイスは、送信モードＴＭ１など、第１の送信モードに関する情報を与えるメッセージ、すなわち、許可を受信するように構成され得る。ＴＭ１に関する情報を与える許可を受信するようにモバイルデバイスを構成することによって、モバイルデバイスは、サイズＮの許可を受信するように構成され得る。したがって、第１の送信モードに関する情報をもつ許可を受信するようにモバイルデバイスを構成することはまた、他の送信モードの関連付けられた許可もサイズＮのものである他の送信モードに関する情報をもつ許可を受信するようにモバイルデバイスを構成し得る。言い換えれば、モバイルデバイスが、Ｎなど、特定のサイズの許可を受信するように構成されると、モバイルデバイスは、任意の送信モードに関連付けられた許可が同じサイズＮのものである限り、それらの許可を受信するように構成され得る。
【００９２】
[00102]ブロック７０４において、方法７００は、第１の送信モードに従って第１のメッセージを受信することを含む。一例として、ＵＥ１１５は、コントローラ／プロセッサ２８０および／またはワイヤレス無線機１１００ａ〜ｒおよび／またはアンテナ２５２ａ〜ｒの制御下で、第１の送信モードに従って第１のメッセージを受信し得る。たとえば、モバイルデバイスは、第１の送信モードに関する情報を与えるサイズＮの許可を受信するように構成され得る。
【００９３】
[00103]ブロック７０６において、方法７００は、第２の送信モードに従って、第１のメッセージ中で受信された情報とともに処理すべき情報を含む第２のメッセージを受信することを含み、ここにおいて、第２の送信モードに従って受信されたメッセージは、第１のメッセージ中で受信された情報と、第２のメッセージ中で受信された情報とを含む。一例として、ＵＥ１１５は、コントローラ／プロセッサ２８０および／またはワイヤレス無線機１１００ａ〜ｒおよび／またはアンテナ２５２ａ〜ｒの制御下で、第１のメッセージ中で受信された情報とともに処理すべき情報を含む第２のメッセージを受信し得る。たとえば、第２の送信モードに従って受信されるメッセージは、第１の送信モードとは異なる送信モードに関する情報を与え、第１の送信モードに関する情報を与えるサイズＮの許可とは異なるサイズを有する、許可であり得る。たとえば、第１の送信モードとは異なる送信モードに関する情報を与える許可は、Ｎよりも大きくなり得るサイズＭを有し得る。ブロック７０６において述べられたように、第２の送信モードに関連付けられた許可は、通常、第１のメッセージ中で受信された情報と第２のメッセージ中で受信された情報とを含み得る。したがって、第２の送信モードに関連付けられた許可を受信するように構成されたモバイルデバイスは、サイズＭを有し、許可メッセージ内に第１のメッセージ中で受信された情報と第２のメッセージ中で受信された情報とをすべて含む、許可を受信することになる。しかしながら、ブロック７０２において述べられたように、モバイルデバイスは、第１の送信モードに従って許可を受信するように構成され、モバイルデバイスは、それが大きい許可を読み取るように構成されないので、第２の送信モードに関連付けられた許可を適切に受信することができない。したがって、ブロック７０２などにおいて、第１の送信モードに従って許可を受信するように構成されたモバイルデバイスが、第２の送信モードに関連付けられた許可中で受信されたであろうすべての情報を受信するために、モバイルデバイスは、ブロック７０４などにおいて、第１の送信モードに従って許可を受信し、次いで、ブロック７０６などにおいて、第２のメッセージ中で第２の送信モードに関連付けられた許可中に含まれたであろう情報の残りを受信する。したがって、ブロック７０４において受信された許可中の情報と第２のメッセージ中の情報とは、第２のメッセージ中で受信された情報が第１のメッセージ中で受信された情報とともに処理されるとき、モバイルデバイスが、第２の送信モードに関連付けられた許可内で完全に受信されたであろう情報を基本的に処理しているように、第２の送信モードに関連付けられた許可中に含まれたであろうすべての情報を作成し得る。
【００９４】
[00104]第２のメッセージを介して第２の送信モードでの動作のために必要とされることになる追加情報を取得することによって、モバイルデバイスは、それの元の構成、すなわち、第１の送信モードに関連付けられ、元のサイズＮを有する許可を受信するためのそれの構成を維持することが可能である。モバイルデバイスが、第２の送信モードで動作するようにそれ自体を構成する必要があるとき、許可は追加情報を含んでいないことがあるので、およびモバイルデバイスは、より大きい許可を受信するように構成されないので、追加情報は、それが受信する許可中に含まれない。代わりに、追加情報は、ブロック７０６などにおいて、第２のメッセージを介して受信される。たとえば、第２の送信モードが送信モード６（ＴＭ６）であるとき、送信モード１または２（ＴＭ１またはＴＭ２）などの第１の送信モードに関連付けられた許可中に含まれている必要があったであろう追加情報は、受信データを復号するためにＵＥが使用すべきであるプリコーディング行列に関する送信プリコーディング行列インジケータ（ＴＰＭＩ：Transmitted Precoding Matrix Indicator）またはプリコーディング行列インジケータ（ＰＭＩ：Precoding Matrix Indicator）情報を含み得る。したがって、本開示の一態様では、ＵＥは、第２のメッセージ中でＴＰＭＩ／ＰＭＩ情報を受信し得る。たとえば、第２のメッセージは、それのプリコーディング行列を取得するために最後の報告されたＰＭＩを使用するようにＵＥに通知し得る。第２のメッセージは、基地局からＵＥによって受信された別個のメッセージ、またはＵＥによって受信された情報の処理に基づいてＵＥによって生成されたメッセージであり得る。さらに、ＵＥは、フォールバック許可（Ｍ１Ａ）を監視し、さらに他の許可を監視し得る。
【００９５】
[00105]本開示の別の態様では、第２のメッセージ中の情報は、モバイルデバイスに、モバイルデバイスが、データを復号するために使用すべきプリコーディング行列に関する情報をどこで受信し得るかを通知する情報を含み得る。たとえば、第２のメッセージは、たとえば、プリコーダ１がＴＴＩ１中にあることになり、プリコーダ２がＴＴＩ２中にあることになり、プリコーダ３がＴＴＩ３中にあることになるなどをＵＥに通知するなど、プリコーディング行列に関する情報がＴＴＩにわたって循環することをＵＥに通知し得る。
【００９６】
[00106]第２の送信モードが送信モード９（ＴＭ９）であるとき、送信モード１または２（ＴＭ１またはＴＭ２）などの第１の送信モードに関連付けられた許可中に含まれている必要があったであろう追加情報は、スクランブリングシーケンス情報を含み得る。したがって、本開示の一態様では、ＵＥは、第２のメッセージ中でスクランブリングシーケンス情報を受信し得る。たとえば、第２のメッセージは、使用すべきスクランブリングシーケンスを指定し得る。第２のメッセージは、基地局からＵＥによって受信された別個のメッセージ、またはＵＥによって受信された情報の処理に基づいてＵＥによって生成されたメッセージであり得る。本開示の別の態様では、第２のメッセージ中の情報は、基地局によって、情報が無線フレーム中のどこに位置を特定されるかまたは与えられ得るかなど、モバイルデバイスが、使用すべきスクランブリングシーケンスに関する情報をどこで受信し得るかをモバイルデバイスに通知する情報を含み得る。
【００９７】
[00107]本開示の別の態様、図７に示されている開示の態様と同様である態様では、基地局は、第１の送信モードに従って第１のメッセージを送信することと、第２の送信モードに従って第２のメッセージを送信することとを行うように構成され得、ここにおいて、第２のメッセージは、第１のメッセージ中の情報とともに処理すべき情報を含み、ここにおいて、第２のメッセージは第１のメッセージ中の情報を含む。たとえば、ｅＮＢ１０５は、コントローラ／プロセッサ２４０および／またはワイヤレス無線機１０００ａ〜ｔおよび／またはアンテナ２３４ａ〜ｔの制御下で、第１の送信モードに従って第１のメッセージを送信し、第２の送信モードに従って第２のメッセージを送信するために得、ここにおいて、第２のメッセージは、第１のメッセージ中の情報とともに処理すべき情報を含み、ここにおいて、第２のメッセージは第１のメッセージ中の情報を含む。
【００９８】
[00108]図８は、本開示の別の態様による、複数の送信モードを使用するワイヤレス通信のための方法を示すブロック図である。方法８００の態様は、ＵＥなど、図１〜図２および図１０〜図１１に関して説明される本開示の態様を用いて実装され得る。また、例示的なブロックは、図１１に示されているようにＵＥ１１５に関して説明される。
【００９９】
[00109]詳細には、方法８００は、ブロック８０２において、モバイルデバイスによって、第１の送信モードまたは第２の送信モードに従ってメッセージを受信する、モバイルデバイスの能力を示すメッセージを送信することを含む。一例として、ＵＥ１１５は、コントローラ／プロセッサ２８０および／またはワイヤレス無線機１１００ａ〜ｒおよび／またはアンテナ２５２ａ〜ｒの制御下で、第１の送信モードまたは第２の送信モードに従ってメッセージを受信する、モバイルデバイスの能力を示すメッセージを送信し得る。たとえば、ＵＥは、それが、ＴＭ１またはＴＭ２などの第１の送信モードに従って許可を受信することが可能であることに加えて、ＴＭ６またはＴＭ９などの他の送信モードに従って許可を受信することが可能であることを示すメッセージを基地局に送信し得る。
【０１００】
[00110]ブロック８０４において、方法８００は、モバイルデバイスを、第１の送信モードに従ってメッセージを受信し、第２の送信モードに従ってメッセージを受信するように構成することを含む。一例として、ＵＥ１１５は、コントローラ／プロセッサ２８０および／またはワイヤレス無線機１１００ａ〜ｒおよび／またはアンテナ２５２ａ〜ｒの制御下で、第１の送信モードに従ってメッセージを受信し、第２の送信モードに従ってメッセージを受信するようにそれ自体を構成し得る。たとえば、ＵＥは、ＴＭ１などの第１の送信モードと、ＴＭ６などの第２の送信モードとに関する情報を与える許可を受信するように構成され得る。
【０１０１】
[00111]ブロック８０６において、方法８００は、通信チャネル中のメッセージが第１の送信モードに関連付けられたのか第２の送信モードに関連付けられたのかを決定することを含む。一例として、ＵＥ１１５は、コントローラ／プロセッサ２８０および／またはワイヤレス無線機１１００ａ〜ｒおよび／またはアンテナ２５２ａ〜ｒの制御下で、通信チャネル中のメッセージが第１の送信モードに関連付けられたのか第２の送信モードに関連付けられたのかを決定し得る。たとえば、ＵＥは、許可が通信チャネル中でＵＥに与えられていることを識別し、たとえば、許可のサイズに基づいて、許可が第１の送信モードに関連付けられたのか第２の送信モードに関連付けられたのかを決定し得る。
【０１０２】
[00112]ブロック８０８において、方法８００は、メッセージを受信し、メッセージが第１の送信モードに関連付けられたのか第２の送信モードに関連付けられたのかの決定に基づいて、受信されたメッセージを処理することを含む。一例として、ＵＥ１１５は、コントローラ／プロセッサ２８０および／またはワイヤレス無線機１１００ａ〜ｒおよび／またはアンテナ２５２ａ〜ｒの制御下で、メッセージを受信し、メッセージが第１の送信モードに関連付けられたのか第２の送信モードに関連付けられたのかの決定に基づいて、受信されたメッセージを処理し得る。たとえば、許可が、ＴＭ１などの第１の送信モードに関連付けられ、Ｎビットのサイズを有する場合、モバイルデバイスは、Ｎビットの許可を処理することになる。しかしながら、許可が、ＴＭ６などの第２の送信モードに関連付けられ、Ｎよりも大きいＭビットのサイズを有する場合、モバイルデバイスは、Ｍビットの許可を処理することになる。したがって、モバイルデバイスは、許可の特定のプロパティに基づいて許可を受信し、処理するようにそれ自体を再構成することが可能である。
【０１０３】
[00113]図９は、本開示のまた別の態様による、複数の送信モードを使用するワイヤレス通信のための方法を示すブロック図である。方法９００の態様は、ＵＥなど、図１〜図２および図１０〜図１１に関して説明される本開示の態様を用いて実装され得る。また、例示的なブロックは、図１１に示されているようにＵＥ１１５に関して説明される。
【０１０４】
[00114]詳細には、方法９００は、ブロック９０２において、モバイルデバイスを、第１の送信モードに従ってメッセージを受信し、第２の送信モードに従ってメッセージを受信するように構成することを含む。一例として、ＵＥ１１５は、コントローラ／プロセッサ２８０および／またはワイヤレス無線機１１００ａ〜ｒおよび／またはアンテナ２５２ａ〜ｒの制御下で、第１の送信モードに従ってメッセージを受信し、第２の送信モードに従ってメッセージを受信するようにそれ自体を構成し得る。たとえば、ＵＥは、ＴＭ１などの第１の送信モードと、ＴＭ６などの第２の送信モードとに関する情報を与える許可を受信するように構成され得る。
【０１０５】
[00115]ブロック９０４において、方法９００は、第２の送信モードに関連付けられたメッセージについて通信チャネルを監視することを含む。一例として、ＵＥ１１５は、コントローラ／プロセッサ２８０および／またはワイヤレス無線機１１００ａ〜ｒおよび／またはアンテナ２５２ａ〜ｒの制御下で、第２の送信モードに関連付けられたメッセージについて通信チャネルを監視し得る。たとえば、ＵＥは、ＴＭ６またはＴＭ９などの第２の送信モードに関連付けられた許可について通信チャネルを監視し得る。ブロック９０６において、方法９００は、第２の送信モードに関連付けられたメッセージがその間に存在しない第１の時間間隔がいつ経過したかを決定することを含む。一例として、ＵＥ１１５は、コントローラ／プロセッサ２８０および／またはワイヤレス無線機１１００ａ〜ｒおよび／またはアンテナ２５２ａ〜ｒの制御下で、第２の送信モードに関連付けられたメッセージがその間に存在しない第１の時間間隔がいつ経過したかを決定し得る。ブロック９０８において、方法９００は、第１の時間間隔が経過したと決定すると、第１の送信モードに関連付けられたメッセージについて通信チャネルを監視することを含む。一例として、ＵＥ１１５は、コントローラ／プロセッサ２８０および／またはワイヤレス無線機１１００ａ〜ｒおよび／またはアンテナ２５２ａ〜ｒの制御下で、第１の時間間隔が経過したと決定すると、第１の送信モードに関連付けられたメッセージについて通信チャネルを監視し得る。たとえば、いくつかの態様では、ＴＭ６またはＴＭ９に関連付けられたものなど、より大きい許可は、より小さい許可に勝る優先度を与えられ得、したがって、ＵＥは、最初により大きい許可を監視するように構成され得る。しかしながら、ＵＥは、第２の送信モードに関連付けられた許可が最後に通信チャネル中で与えられてからどのくらいの時間が過ぎたかを追跡し得る。さらに、ＵＥは、その時間を、あらかじめ定義されるか、ユーザから与えられるか、または動的に自動的に生成され得るしきい値と比較し得る。しきい値は、ＵＥが、ＴＭ１またはＴＭ２などの第１の送信モードに関連付けられた許可について通信を監視することに遷移する前に、第２の送信モードに関連付けられた許可について通信チャネルを監視し得る時間の最大量を表し得る。したがって、第２の送信モードに関連付けられた許可が最後に通信チャネル中で与えられてからの時間がしきい値を超えたとＵＥが決定したとき、ＵＥは、第１の送信モードに関連付けられた許可についての通信チャネルの監視に遷移し得る。
【０１０６】
[00116]本開示のいくつかの態様では、監視することはまた、ＳＮＲに依存し得る。たとえば、監視することは、信号対雑音比（ＳＮＲ）値を決定することと、ＳＮＲ値がしきい値を超えると決定すると、第１の送信モードに関連付けられたメッセージについて通信チャネルを監視することと、ＳＮＲ値がしきい値を超えないと決定すると、第２の送信モードに関連付けられたメッセージについて通信チャネルを監視することとを含み得る。本開示の他の態様では、監視することは、信号対雑音比（ＳＮＲ）値を決定することと、ＳＮＲ値がしきい値を超えないと決定すると、第１の送信モードに関連付けられたメッセージについて通信チャネルを監視することと、ＳＮＲ値がしきい値を超えると決定すると、第２の送信モードに関連付けられたメッセージについて通信チャネルを監視することとを含み得る。
【０１０７】
[00117]いくつかの実施形態によれば、ＵＥが、ＴＭ６またはＴＭ９などの２次送信モードに関する情報を与える許可を受信するように構成されると、ＵＥは、ＴＭ６の場合のＴＰＭＩ情報、およびＴＭ９の場合のスクランブリング情報など、２次送信モードによって必要とされる追加情報を含む許可のみについて通信チャネルを監視し得る。いくつかの実施形態では、ＵＥが、ＴＭ６またはＴＭ９などの２次送信モードに関する情報を与える許可を受信するように構成されない場合でも、基地局によって送信され、ＵＥによって受信された許可は、依然として、ＴＭ６またはＴＭ９などの２次送信モードに関係するが、ＴＭ１またはＴＭ２など、より小さい許可に関連付けられた送信モードに関係しない追加情報を含むために、許可によって必要とされる追加のビットを含み得る。
【０１０８】
[00118]いくつかの実施形態では、ＵＥは、通信システムにおいてＵＥに関連付けられた繰返しレベルなどのカバレージ要件に基づいて、方法７００、８００、または９００など、複数の送信モードを使用するワイヤレス通信のための方法を変更し得る。
【０１０９】
[00119]言い換えれば、ワイヤレス通信のための方法は、バンドルサイズ(bundle size)、すなわち、通信に関連付けられた繰返しレベルに基づいて決定され得る。たとえば、Ｒ≦４など、ほとんど、またはまったく繰返しレベルが必要とされない、すなわち、最小バンドリングが必要とされるとき、基地局とＵＥとによって利用される通信は、Ｒ≧４など、大量の繰返しが必要とされる、すなわち、大きいバンドリングが必要とされるときとは異なり得る。本開示のいくつかの態様では、ＵＥによって採用される監視することはまた、通信システムにおいてＵＥに関連付けられた繰返しレベルなどのカバレージ拡張要件に依存し得る。たとえば、監視することは、カバレージ拡張要件を決定することと、カバレージ拡張値がしきい値を超えると決定すると、第１の送信モードに関連付けられたメッセージについて通信チャネルを監視することと、カバレージ拡張値がしきい値を超えないと決定すると、第２の送信モードに関連付けられたメッセージについて通信チャネルを監視することとを含み得る。別の実施形態では、監視することは、カバレージ拡張要件を決定することと、カバレージ拡張値がしきい値を超えないと決定すると、第１の送信モードに関連付けられたメッセージについて通信チャネルを監視することと、カバレージ拡張値がしきい値を超えると決定すると、第２の送信モードに関連付けられたメッセージについて通信チャネルを監視することとを含み得る。一態様では、第２の探索空間の識別は、決定されたカバレージ拡張レベルに少なくとも部分的に基づき得る。同様に、カバレージ拡張レベルは、探索空間が基地局によってどのように設定されるかに影響を及ぼし得る。たとえば、カバレージ拡張レベルが決定された後、第２の探索空間は、決定されたカバレージ拡張レベルに少なくとも部分的に基づいて設定され得る。
【０１１０】
[00120]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１１】
[00121]図の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１１２】
[00122]さらに、本明細書の開示に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、上記では概してそれらの機能に関して説明された。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。当業者はまた、本明細書で説明された構成要素、方法、または相互作用の順序あるいは組合せは例にすぎないことと、本開示の様々な態様の構成要素、方法、または相互作用は、本明細書で例示し、説明されたもの以外の方法で組み合わせられるかまたは実行され得ることとを容易に認識されよう。
【０１１３】
[00123]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと併用される１つまたは複数のマイクロプロセッサ、または任意の他のそのような構成として実装され得る。
【０１１４】
[00124]本明細書の開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１１５】
[00125]１つまたは複数の例示的な設計では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気記憶デバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれるべきである。
【０１１６】
[00126]特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）あるいはそれらの任意の組合せにおけるこれらのいずれかを意味するような選言的列挙を示す。
【０１１７】
[00127]本開示についての以上の説明は、いかなる当業者も本開示を作成または使用することができるように与えたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2018534887.tif 000003
【図２】
2018534887.tif 000004
【図３】
2018534887.tif 000005
【図４】
2018534887.tif 000006
【図５】
2018534887.tif 000007
【図６】
2018534887.tif 000008
【図７】
2018534887.tif 000009
【図８】
2018534887.tif 000010
【図９】
2018534887.tif 000011
【図１０】
2018534887.tif 000012
【図１１】
2018534887.tif 000013
【国際調査報告】
2018534887.tif 000014
2018534887.tif 000015
2018534887.tif 000016
2018534887.tif 000017
2018534887.tif 000018